(57)【特許請求の範囲】
【請求項１】
アンテナとそのアンテナに接続される電子回路とを備えている第１電子回路デバイスと、複数のアンテナとそれら複数のアンテナの一部のものに接続される電子回路とを備えている第２電子回路デバイスとを含み、それら２つの電子回路デバイスは、互いを通信対象とし、互いのアンテナが配置された部分を対向させた状態で密着型の無線通信を行う電子回路システムであって、
前記第２電子回路デバイスは、さらに、
前記第１電子回路デバイスのアンテナより送信された通信接続更新処理コマンドを前記複数のアンテナにより受信すると、無線通信において前記第１電子回路デバイスのアンテナとペアにして使用するアンテナを選択し、前記複数のアンテナのうち、当該選択されたアンテナと前記電子回路とを接続することを示す接続情報を生成する接続情報生成部と、
前記接続情報に従い、前記複数のアンテナと前記電子回路との接続を切替える接続切替部と
を備え、
前記接続情報生成部は、さらに、無線通信のペアになるアンテナを介して間欠的に確認信号を送受信し、前記確認信号の強度が閾値以下となる場合に、無線通信において前記第１電子回路デバイスのアンテナとペアにして使用するアンテナを選択し、前記接続情報を生成する
ことを特徴とする電子回路システム。
【請求項２】
複数のアンテナとそれら複数のアンテナの少なくとも一部のものに接続される電子回路とを備えている第１及び第２電子回路デバイスを含み、それら２つの電子回路デバイスは、互いを通信対象とし、互いの複数のアンテナが配置された部分を対向させた状態で無線通信を行う電子回路システムであって、
前記第１及び第２電子回路デバイスの各々は、さらに、
無線通信において前記通信対象の電子回路デバイスのアンテナとペアにして使用するアンテナを選択し、前記複数のアンテナのうち、当該選択されたアンテナと前記電子回路とを接続することを示す接続情報を生成する接続情報生成部と、
前記接続情報に従い、前記複数のアンテナと前記電子回路との接続を切替える接続切替部と
を備え、
前記第１及び第２電子回路デバイスの各々の前記接続情報生成部は、前記接続切替部を介して前記複数のアンテナに接続され、前記通信対象の電子回路デバイスの接続情報生成部との間で、前記複数のアンテナを介して試験的に信号を送信する処理および前記通信対象の電子回路デバイスの２以上のアンテナを介して送信された信号を前記信号を送信した複数のアンテナを介して受信する処理である試験通信処理を行うとともに、
その試験通信処理によって得られた結果に基づいて前記接続情報を生成し、
さらに、無線通信のペアになるアンテナを介して間欠的に確認信号を送受信し、前記確認信号の強度が閾値以下となる場合に、前記試験通信処理を行い前記接続情報を生成する
ことを特徴とする電子回路システム。
【請求項３】
前記第１電子回路デバイス及び前記第２電子回路デバイスの各々において、
接続切替部は、前記電子回路に接続されている複数の信号線と前記複数のアンテナとの接続を切替えるものであり、
接続情報生成部は、前記通信対象の電子回路デバイスの２以上のアンテナとともに２以上のペアを形成する２以上のアンテナを選択し、前記複数のアンテナのうち、当該選択された２以上のアンテナを前記複数の信号線に接続することを示す接続情報を生成し、
前記第１電子回路デバイスにおいて、
前記接続情報生成部は、前記試験通信処理において前記複数のアンテナの各々を介してアンテナ毎に異なる識別情報を送信するものであり、
前記第２電子回路デバイスにおいて、
前記接続情報生成部は、前記第１電子回路デバイスから送信された前記識別情報を受信した場合、その識別情報に基づき、前記複数の信号線のうち、前記選択された２以上のアンテナの各々を接続する信号線を決定する
ことを特徴とする請求項２に記載の電子回路システム。
【請求項４】
前記第２電子回路デバイスにおいて、
前記複数のアンテナの個数は、前記２以上のペアに選択されるアンテナの数よりも多い
ことを特徴とする請求項３に記載の電子回路システム。
【請求項５】
前記第１電子回路デバイス及び前記第２電子回路デバイスの各々は、前記アンテナとして機能するコイルが形成された基板を備え、
前記第１電子回路デバイスの基板と、前記第２電子回路デバイスの基板とは、前記コイルが形成された面が対向した状態で近接配置されている
ことを特徴とする請求項４に記載の電子回路システム。
【請求項６】
前記ペアとなる２つのアンテナは、一方のアンテナとして機能する第２のコイルの中心線方向の正射影において、前記第２のコイルに囲まれた領域のうちの半分を超える部分が他方のアンテナとして機能する第１のコイルに囲まれた領域に含まれている
ことを特徴とする請求項５に記載の電子回路システム。
【請求項７】
前記接続情報生成部は、前記試験通信処理時における各アンテナの通信品質に基づき、前記ペアとして使用するアンテナを選択する
ことを特徴とする請求項２乃至６のいずれか１項に記載の電子回路システム。
【請求項８】
前記第２電子回路デバイスのアンテナの配置パターンは、前記第１電子回路デバイスのアンテナの配置パターンの鏡像となるパターンが複数配置されたパターンである
ことを特徴とする請求項５又は６に記載の電子回路システム。
【請求項９】
前記第２電子回路デバイスのアンテナの配置パターンは、前記第１電子回路デバイスのアンテナの第１パターンの鏡像に類似する第２パターンを含み、
前記第２パターンを前記第１パターンに対向させた場合、少なくとも一の方向において、前記第１パターンにおける２つの第１アンテナの配置間隔が、前記第１パターンにおける前記２つの第１アンテナと対向する２つの第２アンテナの配置間隔よりも、大きく、又は、小さくされている
ことを特徴とする請求項６に記載の電子回路システム。
【請求項１０】
前記第１電子回路デバイスと前記第２電子回路デバイスとの少なくとも一方において、
前記電子回路は、前記複数の信号線に接続されている複数の電子回路モジュールを含み、
前記接続切替部は、前記複数の電子回路モジュールの各々に接続されている個々の信号線と、各アンテナとの接続を切替えるものである
ことを特徴とする請求項３乃至６のいずれか１項に記載の電子回路システム。
【請求項１１】
複数のアンテナとそれら複数のアンテナの一部のものに接続される電子回路とを備え、アンテナとそのアンテナに接続される電子回路とを備えている通信対象の電子回路デバイスとの間で、互いのアンテナが配置された部分を対向させた状態で密着型の無線通信を行う電子回路デバイスであって、
前記通信対象の電子回路デバイスのアンテナより送信された通信接続更新処理コマンドを前記複数のアンテナにより受信すると、無線通信において前記通信対象の電子回路デバイスのアンテナとペアにして使用するアンテナを選択し、前記複数のアンテナのうち、当該選択されたアンテナと前記電子回路とを接続することを示す接続情報を生成する接続情報生成部と、
前記接続情報に従い、前記複数のアンテナと前記電子回路との接続を切替える接続切替部と
を備え、
前記接続情報生成部は、さらに、無線通信のペアになるアンテナを介して間欠的に確認信号を送受信し、前記確認信号の強度が閾値以下となる場合に、無線通信において前記通信対象の電子回路デバイスのアンテナとペアにして使用するアンテナを選択し、前記接続情報を生成する
ことを特徴とする電子回路デバイス。
【請求項１２】
一部のものが電子回路に接続される複数のアンテナを備え、電子回路に接続されるアンテナを備えている通信対象の無線通信デバイスとの間で、互いのアンテナが配置された部分を対向させた状態で密着型の無線通信を行う無線通信デバイスであって、
前記通信対象の無線通信デバイスのアンテナより送信された通信接続更新処理コマンドを前記複数のアンテナにより受信すると、無線通信において前記通信対象の無線通信デバイスのアンテナとペアにして使用するアンテナを選択し、前記複数のアンテナのうち、当該選択されたアンテナと前記電子回路とを接続することを示す接続情報を生成する接続情報生成部と、
前記接続情報に従い、前記複数のアンテナと前記電子回路との接続を切替える接続切替部と
を備え、
前記接続情報生成部は、さらに、無線通信のペアになるアンテナを介して間欠的に確認信号を送受信し、前記確認信号の強度が閾値以下となる場合に、無線通信において前記通信対象の電子回路デバイスのアンテナとペアにして使用するアンテナを選択し、前記接続情報を生成する
ことを特徴とする無線通信デバイス。
【発明の詳細な説明】
【技術分野】
【０００１】
本発明は、密着型の非接触インタフェース技術を用いた電子回路システム、および電子回路デバイスに関する。
【背景技術】
【０００２】
従来、密着型の非接触インタフェース技術として、コイルの磁界結合を利用した密着型の無線通信インタフェース搭載装置が提案されている（例えば、特許文献１参照）。図３０は、特許文献１に記載された従来の密着型の無線通信インタフェース搭載装置の構成を示す図である。コイルの磁界結合による無線通信は、コイルを互いに近接させて対向させないと無線通信が困難になる場合が多い。【０００３】
図３０において、ターゲットシステム９１２は、密着型の無線通信インタフェース用のコイル９９を搭載したマイクロコンピュータ９１３を有する。一方、ターゲットシステム９１２をデバッグするホスト側は、ホストコンピュータ９１とデバッガ９３と、無線通信インタフェース用のコイル９８を有する無線通信インタフェースＩＣ９７とを備える。ホストコンピュータ９１がデバッガ９３を制御することで、デバッガ９３は、ＩＣ９７とデータ接続し、コイル９８とコイル９９間の無線通信を介して、ターゲットシステム９１２をデバッグする。【０００４】
ＩＣ９７は３つのコイル９８、マイクロコンピュータ９１３は３つのコイル９９を有している。３つのコイルは、例えばクロック用、信号送信用、信号受信用とそれぞれの機能が割り当てられている。そして、コイル９９とコイル９８とがそれぞれ割り当てられた信号を送受信できるように、各コイル９９と各コイル９８との位置関係を適切に設定することで、デバッガ９３とターゲットシステム９１２との間でデータ通信が行われる。つまり、密着型の無線通信を行うために、デバッガ９３側と、ターゲットシステム９１２側との間で、クロック用のコイル同士をペアにして対向配置させ、送信用のコイルと受信用のコイルとをペアにして対向配置させる必要がある。
【先行技術文献】
【特許文献】
【０００５】
【特許文献１】国際公開第２００８／０５６７３９号
【発明の概要】
【発明が解決しようとする課題】
【０００６】
しかしながら、上述した従来の構成では、３つのコイル９８と３つのコイル９９とが通信可能な位置関係となるようにする必要がある。【０００７】
その結果、デバッガ９３とターゲットシステム９１２との位置関係は定まってしまう。そのため、何らかの事情により、デバッガ９３とターゲットシステム９１２との相対位置や相対角度を変えたくとも変えることができないという問題がある。なお、デバッガ９３とターゲットシステム９１２とでは、位置関係を変えるべき理由に乏しいかもしれないが、２つの無線通信インタフェースが、相対移動、相対回転する２つの部材に取り付けられている場合には、相対移動等の前後ともに無線通信ができることが望まれる。なお、一方の通信用のコイルが１つであったとしても、上記の事情が当てはまる。【０００８】
また、マイクロコンピュータ９１３の種類が変わると、サイズや通信構成（例えば、通信回線の数）の違いなどから、コイルの配置や数が変わる場合がある。このような場合に、コイル９８を備えたＩＣ９７を、マイクロコンピュータ９１３の種類ごとに交換するのでは、多数の部品が必要になること、デバッグ作業が煩雑になることなどの問題が生じる。【０００９】
本発明は、このような課題を解決するためになされたものであり、密着型の無線通信を行う場合における、２つのデバイスの位置関係の制約と、デバイスのコイルの数や配置に関する制約との少なくとも一方の制約を低減し得る電子回路システム、電子回路デバイス、および無線通信デバイスを提供することを目的とする。
【課題を解決するための手段】
【００１０】
上記目的を達成するために、本発明の電子回路システムは、アンテナとそのアンテナに接続される電子回路とを備えている第１電子回路デバイスと、複数のアンテナとそれら複数のアンテナの一部のものに接続される電子回路とを備えている第２電子回路デバイスとを含み、それら２つの電子回路デバイスは、互いを通信対象とし、互いのアンテナが配置された部分を対向させた状態で密着型の無線通信を行う電子回路システムであって、前記第２電子回路デバイスは、さらに、無線通信において前記第１電子回路デバイスのアンテナとペアにして使用するアンテナを選択し、前記複数のアンテナのうち、当該選択されたアンテナと前記電子回路とを接続することを示す接続情報を生成する接続情報生成部と、前記接続情報に従い、前記複数のアンテナと前記電子回路との接続を切替える接続切替部とを備えていることを特徴とする。
【発明の効果】
【００１１】
本発明の電子回路システム、および電子回路デバイスは、密着型の無線通信を行う２つのデバイスの位置関係の制約と、一方のデバイスのコイルの数や配置に関する制約との少なくとも一方の制約を受けにくくすることができる。
【図面の簡単な説明】
【００１２】
【図１】実施の形態１における電子回路システムの構成図
【図２】同電子回路システムの概観図
【図３】同電子回路システムの断面図
【図４】同電子回路システムのアンテナの平面図
【図５】同電子回路システムの接続切替部２１０を模式的に示す図
【図６】同電子回路システムの接続情報生成部２０９を模式的に示す図
【図７】同電子回路システムの通信接続更新処理を示すフローチャート
【図８】同電子回路システムにおける電子回路デバイスの位置関係の変化を示す図
【図９】実施の形態１の変形例１におけるアンテナの配置パターンを模式的に示す図
【図１０】実施の形態１の変形例２におけるアンテナの配置パターンを模式的に示す図
【図１１】実施の形態１の変形例３における接続情報生成部３０９を模式的に示す図
【図１２】変形例３における通信接続更新処理２を示すフローチャート
【図１３】実施の形態２における電子回路システムの構成図
【図１４】実施の形態３における電子回路システムの構成図
【図１５】実施の形態３における電子回路システムのアンテナの配置パターンを模式的に示す図
【図１６】実施の形態４における無線通信システムの概観図
【図１７】実施の形態５における電子回路システムのアンテナの配置パターンを模式的に示す図
【図１８】実施の形態５における電子回路システムのアンテナの配置パターンを模式的に示す図
【図１９】実施の形態５における通信接続更新処理３を示すフローチャート
【図２０】実施の形態５の変形例１における無線通信システムを備えたスライド式の携帯電話機を示す外観図
【図２１】同携帯電話機を２つに分離した図
【図２２】実施の形態５の変形例１における無線通信システムの構成図
【図２３】実施の形態５の変形例２における無線通信システムを備えたディスプレイ装置を示す外観図
【図２４】同ディスプレイ装置の連結部６１０の断面図
【図２５】実施の形態５の変形例２における無線通信システムのアンテナの配置パターンを模式的に示す図
【図２６】実施の形態６における電子回路システムのアンテナの配置パターンを模式的に示す図
【図２７】実施の形態６における電子回路システムのアンテナの配置パターンを模式的に示す図
【図２８】実施の形態６における電子回路システムのアンテナの配置パターンを模式的に示す図
【図２９】実施の形態７における無線通信システムの構成図
【図３０】実施の形態８における電子回路システムの構成図
【図３１】従来の無線通信インタフェース搭載装置の構成を示す図
【発明を実施するための形態】
【００１３】
以下本発明の実施の形態について、図面を参照しながら説明する。
【００１４】
［実施の形態１］
図１は、本発明の実施の形態１における電子回路システムの構成図である。本実施の形態では、第１電子回路デバイス１００と、第２電子回路デバイス１０１とで構成された電子回路システムの一例を挙げて説明する。
【００１５】
また、より具体的には、第１電子回路デバイス１００は、マイクロコンピュータを構成する電子回路を含むＬＳＩ（Large Scale Integration）などの電子回路デバイスであり、第２電子回路デバイス１０１は、第１電子回路１００をデバッグする際に用いられるデバッガ装置を構成する電子回路を含むＬＳＩなどの電子回路デバイスであるような一例を挙げている。なお、第１電子回路デバイス１００及び第２電子回路デバイス１０１を、それぞれ「第１デバイス」、「第２デバイス」と略記することがある。
【００１６】
＜＜構成＞＞
＜第１及び第２電子回路デバイスの構造の概要＞
ここで、第１デバイス１００、第２デバイス１０１、及びアンテナの構造について概要を説明する。
【００１７】
図２の上段は、デバッグ時において第１デバイス１００上に第２デバイス１０１が載置された状態を模式的に示す図である。図３は、第１デバイス１００及び第２デバイス１０１の断面を模式的に示す図である。
【００１８】
第１デバイス１００は、半導体基板１００ａ上に形成された複数のアンテナ１１を備えている。半導体基板１００ａ及びアンテナ１１は、樹脂パッケージ１００ｂによって被覆されている。第１デバイス１００は、半導体基板１００ａ上の配線に接続されているリード１００ｃを備えており、リード１００ｃは、樹脂パッケージ１００ｂ外に延び出すとともに、回路基板３００にはんだ付けされている。
【００１９】
なお、第２デバイス１０１の複数のアンテナ１２、半導体基板１０１ａ、樹脂パッケージ１０１ｂ、リード１０１ｃ、及び回路基板３１０についても第１デバイス１００と同様である。なお、第１デバイス１００及び第２デバイス１０１には、回路基板３００，３１０を通じて電力が供給される。
【００２０】
半導体基板１００ａと半導体基板１０１ａとは、互いのアンテナ１１，１２が向かい合うように対向配置されている。また、半導体基板１００ａと半導体基板１０１ａとの離間距離は、半導体基板１００ａ等の主面の幅に比して十分小さくされている。つまり、半導体基板１００ａと半導体基板１０１ａとが近接配置され、アンテナ１１とアンテナ１２とが近接配置されている。
【００２１】
図４は、アンテナ１１，１２を模式的に示す平面図である。アンテナ１１，１２は、四角形状の外形をしており、渦巻形状を描く導電線からなるコイル３２０によって構成されている。アンテナ１１，１２は、半導体基板１００ａ、１０１ａの主面に沿って形成されている。なお、コイル３２０中央の点Ｏを通り、半導体基板１００ａ、１０１ａの主面に垂直な直線（図４において紙面に垂直な直線）がコイル３２０の中心線である。
【００２２】
図３において、アンテナ１１を構成するコイルの中心線と、アンテナ２０１を構成するコイルの中心線とは略平行にされている。
【００２３】
図２において、中段では、第１デバイス１００と第２デバイス１０１とを個別に示し、下段では、第１デバイス１００と第２デバイス１０１とを積層した状態を上部から見た透視図を示している。図２に示すように、本電子回路システムは、回路基板３００上に、第１デバイス１００と第２デバイス１０１とが密着するように積層された状態で実装される。
【００２４】
第１電子回路デバイス１００は、複数のアンテナ１１（アンテナ１１００、１１０１、１１０２、１１０３）を、図２の中段で示す配置パターンで配置している。また、第２デバイス１０１は複数のアンテナ１２（アンテナ１２００から１２１５）を図２の中段で示すようなマトリックス状の配置パターンで配置している。なお、アンテナ１１とアンテナ１２との違いを明確にするため、アンテナ１１を円形状に示している。また、後の図においても、アンテナを円形状で示す場合がある。
【００２５】
ここで、図２において、第２デバイス１０１を底面側（図２の上段では上側であり、第１デバイス１００とは反対側）から眺めた場合の複数のアンテナ１２の配置を示している。よって、第２デバイス１０１を天面側（図２の上段では下側であり、第１デバイス１００と向かい合う面）から眺めた場合、複数のアンテナ１２の配置は図２の鏡像の配置となる。なお、図面の理解を容易にするため、他の実施の形態及び変形例においても、このような表示方法を用いることとする。
【００２６】
上述の第１電子回路デバイス１００と第２電子回路デバイス１０１とは、アンテナを介して互いに通信接続する無線通信機能を有している。第１電子回路デバイス１００を第２電子回路デバイス１０１に密着させ、あるいは近接させた位置関係の状態で無線通信を行い、第２電子回路デバイス１０１によって第１電子回路デバイス１００のデバッグを行う。なお、このような密着型の無線通信で伝送する信号としては、電子回路から出力されるデータや制御信号などが含まれる。
【００２７】
図２の下段の例では、アンテナ１１００と１２００、アンテナ１１０１と１２０８、アンテナ１１０２と１２０２、およびアンテナ１１０３と１２０６がそれぞれ近接して対向している。このような互いに対向するアンテナ１１とアンテナ１２とのペアにより、それぞれの間で無線通信が行われることとなる。
【００２８】
このように、本実施の形態の電子回路システムは、密着型の無線通信機能を利用してデバイス間の通信接続を行い、集積回路などに形成された電子回路デバイスのデバッグを行うことができる。
【００２９】
なお、密着型の無線通信（wireless communication or wireless transmission）は、２つの電子回路デバイス１００，１０１のアンテナ間の誘導結合（磁界結合）を利用して行う無線通信とすることができる。密着型の無線通信は、通信距離が非常に短いため、２つの電子回路デバイス１００，１０１のアンテナが配置された部分を密着させ、あるいは、近接させた状態で無線通信が行われる。ここで、近接とは、例えば、２つの電子回路デバイス１００，１０１間の距離が３ｍｍ以下、あるいは１ｍｍ以下の状態とすることができる。なお、上記密着時、近接時において、アンテナ間の距離は５ｍｍ以下、あるいは３ｍｍ以下とすることができる。
【００３０】
＜第１電子回路デバイス＞
まず、第１電子回路デバイス１００は、図１に示すように、電子回路の構成要素であるバス２０１、及びバス２０１に接続されている複数の電子回路モジュールを含む。複数の電子回路モジュールは、ＣＰＵ２０２、メモリ（Read Only Memory）２０３、メモリ（Randam Access Memory）２０４、無線通信用ＩＦ（Interface）２０５、デバッグ補助部２０６およびＩ／Ｏ−ＩＦ（Input/Output−Interface）２０７を含む。ＣＰＵ２０２は、マイクロプロセッサなどの中央処理装置であり、第１デバイス１００内の各種制御や処理を実行する。
【００３１】
デバッグ補助部２０６は、第１電子回路デバイス１００がデバッグされる場合に、デバッグを補助する処理を行う。デバッグ補助部２０６には、ＩＦ（Interface）２１７が接続されている。
【００３２】
Ｉ／Ｏ−ＩＦ２０７は、バス２０１と外部端子２０８との間に配置され、第１電子回路デバイス１００の外部に接続されたデバイス３０１とバス２０１との間における信号の授受を仲介する処理（インタフェース処理）を行う。
【００３３】
無線通信用ＩＦ２０５、及びＩＦ２１７は、シリアル−パラレル変換処理や、データのバッファなどのインタフェース処理を行う。
【００３４】
＜アンテナ＞
また、第１電子回路デバイス１００は、前述のアンテナ１１を複数備えている。図１では、第１電子回路デバイス１００が、複数のアンテナ１１（アンテナ１１００、１１０１、１１０２、１１０３）を備えた一例を示している。各アンテナ１１には、ドライバ１５１が接続されている（図５参照）。
【００３５】
アンテナ１１は、前述のようにコイルからなり、供給電力に応じて磁界を発生させ、あるいは、磁界の変化に応じて受信電力を発生させる。
【００３６】
ドライバ１５１は、送信時には送信信号に基づきアンテナ１１に電力を供給し、受信時にはアンテナ１１に生じる電力に基づいて受信信号を取得し、出力する。また、ドライバ１５１には、アンテナ１１に生じる電圧値を検出する電圧検出部１５２（図において「Ｖ」で示す）が設けられている。この電圧検出部１５２は、接続情報生成部２０９に接続されており、電圧の検出値を接続情報生成部２０９に送る。
【００３７】
このように、本実施形態では、搬送波を用いることなく、第１デバイス−第２デバイス間で対向するアンテナ間の誘導結合（あるいは磁界結合）によって密着型の無線通信を行っている。
【００３８】
デバッグ処理時には、各アンテナ１１は、第１電子回路デバイス１００内部で伝送するための信号を第２電子回路デバイス１０１に対し、アンテナ１１を介して無線で送信したり、逆に、第２電子回路デバイス１０１から無線で伝送された信号を、アンテナを介して受信したりする。このような無線通信で伝送する信号としては、電子回路内部のデータや制御信号などが含まれる。このように、第１電子回路デバイス１００の各アンテナ１１は、非接触インタフェースとして機能し、第２電子回路デバイス１０１のアンテナ１２と無線による通信を行う。
【００３９】
さらに、第１電子回路デバイス１００は、接続情報生成部２０９と接続切替部２１０とを備えている。
【００４０】
＜接続切替部＞
図５に、接続切替部２１０を模式的に示す。
【００４１】
接続切替部２１０は、ＩＦ２１７（デバッグ補助部２０６）、無線通信用ＩＦ２０５、及び接続情報生成部２０９と複数の信号線によって接続されている。ここで、接続切替部２１０と、ＩＦ２１７等との間はシリアル接続である。一方、ＩＦ２１７とデバッグ補助部２０６との間、及び無線通信用ＩＦ２０５とバス２０１との間はパラレル接続である。
【００４２】
また、接続切替部２１０は、ドライバ１５１を介してアンテナ１１と接続されている。
【００４３】
接続切替部２１０は、各アンテナ１１の接続を切替える切替えスイッチ２１０ａを備えている。各スイッチ２１０ａは、アンテナ１１の接続先として、ＩＦ２１７（デバッグ補助部２０６）、無線通信用ＩＦ２０５、接続情報生成部２０９、及び無接続（いずれにも接続しない状態であり、図において「Ｅ」で示す）のいずれかのモジュールを選択する。より詳細には、各モジュールには信号線が接続されており、接続切替部２１０は、各アンテナ１１と、各モジュールに接続された信号線と、の接続を切替える。
【００４４】
なお、本実施形態において、接続切替部２１０は、ＩＦ２１７（デバッグ補助部２０６）に２つのアンテナ１１を接続できるようにされている。また、ＩＦ２１７は、２つのインタフェース回路を備えており、各インタフェース回路と接続切替部２１０とが信号線によって接続されている。
【００４５】
接続切替部２１０は、後述するように接続情報生成部２０９から指示情報が送られると、その指示情報に従いアンテナ１１とモジュールとの接続を切替える。
【００４６】
接続切替部２１０には、電子回路に含まれる一のモジュールである無線通信用ＩＦ２０５を介して、信号Ｄｔ１が供給される。さらに、接続切替部２１０には、ＩＦ２１７を介して、電子回路に含まれる一のモジュールであるデバッグ補助部２０４の信号Ｄｔ２が供給される。このように、接続切替部２１０には２つに分類された第１電子回路デバイス１００内の信号が供給される。ここで、信号Ｄｔ１および信号Ｄｔ２は、第１電子回路デバイス１００から第２電子回路デバイス１０１へと伝送するための伝送対象の信号である。
【００４７】
＜接続情報生成部＞
接続情報生成部２０９は、接続切替部２１０を介して、各アンテナ１１と接続されている。
【００４８】
図６は、接続情報生成部２０９の構成を模式的に示すブロック図である。
【００４９】
接続情報生成部２０９は、情報通信処理部２０９ａ、記憶部２０９ｂ、接続情報送信部、無線通信用ＩＦ部２０９ｄ、受信検知部２０９ｅ、及びバス用ＩＦ部２０９ｆを備えている。接続情報生成部２０９は、例えば、所定の処理を実行する電子回路、あるいは、制御プログラムを実行するプロセッサを含むマイクロコンピュータによって構成されている。
【００５０】
情報通信処理部２０９ａは、後述する処理により、試験通信処理の実行や、接続情報、指示情報の生成を行う。接続情報は、例えば、各アンテナ１１とデバッグ補助部２０６等の各モジュールとの接続関係を示す情報である。つまり、各アンテナ１１をいずれのモジュールに接続するか、あるいは無接続状態にするかを示す情報である。なお、より詳細には、接続情報は、各アンテナ１１と各モジュールに接続された信号線との接続関係を示す情報であるといえる。指示情報は、接続切替部２１０に接続の切替えを実行させるために、接続情報に基づき生成された制御信号である。
【００５１】
記憶部２０９ｂには、各アンテナ１１の識別情報（アンテナ識別情報）、デバッグ補助部２０６や無線通信用ＩＦ２０５の電子回路モジュール（以後、モジュールという）の識別情報であるモジュール識別情報が記憶されている。アンテナの識別情報は、例えば、複数のアンテナ１１の各々に割り当てられた互いに異なる識別番号である。モジュール識別情報は、例えば、各モジュールの識別番号である。
【００５２】
さらに、記憶部２０９ｂには、各アンテナ１１と各モジュールとの接続パターンが記憶されている。この接続パターンは、例えば、Ｎ個のアンテナ１１が無線通信に使用可能である場合において、各アンテナ１１をいずれのモジュールに接続させるかを示す情報である。この接続パターンは、接続情報の生成に用いられる。
【００５３】
指示情報送信部２０９ｃは、接続情報のうち、接続切替部２１０によって接続を切替えるための指示情報を、接続切替部２１０に送信する。なお、情報通信処理部２０９ａは、接続情報を生成する毎に、指示情報を生成し、指示情報送信部２０９ｃは、指示情報が生成される毎に送信する。なお、接続切替部２１０は、指示情報に従い、アンテナ１１とモジュールとの接続を切替える。
【００５４】
無線通信用ＩＦ部２０９ｄは、接続切替部２１０を介してアンテナ１１（ドライバ１５１）と接続され、無線通信用ＩＦ２０５と同様の機能を果たす。受信検知部２０９ｅは、電圧検出部１５２によって検出されたアンテナの電圧値に基づき、信号の受信を検知する。バス用ＩＦ部２０９ｆは、バス２０１と接続され、バス２０１を介してデバッグ補助部２０６、ＣＰＵ２０２等と信号の授受を行う。
【００５５】
ここで、モジュールとアンテナ１１との接続例を示す。例えば、接続情報生成部２０９が、デバッグＩＦ２４７（信号Ｄｔ２）をアンテナ１１００に接続し、メモリＩＦ２４５（信号Ｄｔ１）をアンテナ１１０３に接続するように指示情報によって指示すると、接続切替部２１０は、これに応じた接続を行う。これによって、デバッグＩＦ２４７から出力される信号Ｄｔ２がアンテナ１１００によって伝送され、メモリＩＦ２４５から出力される信号Ｄｔ１がアンテナ１１０３によって伝送される。このように、接続切替部２１０は、接続情報に応じて第１電子回路デバイス１００内での信号と各アンテナ１１との接続を切り替える。
【００５６】
＜第２電子回路デバイス＞
さらに、第２電子回路デバイス１０１は、前述した複数のアンテナ１２と、デバッグ処理部２１１、接続情報生成部２２３と、接続切替部２２４と、ＩＦ２３１と、ＩＦ２３２と、バス２３３とを備えている。
【００５７】
アンテナ１２及びドライバ１６１は、アンテナ１１及びドライバ１５１と同様の機能を有する。各アンテナ１２及びドライバ１６１は、第１電子回路デバイス１００からアンテナ１１を介して無線で伝送された信号を受信したり、逆に、第２電子回路デバイス１０１の内部で取り込んだ信号を第１デバイス１００のアンテナ１１に対して無線で送信したりする。このように、第２電子回路デバイス１０１の各アンテナ１２及びドライバ１６１は、無線通信インタフェースとして機能し、第１デバイス１００と無線による通信を行う。
【００５８】
また、アンテナ１２にドライバ１６１を介して接続された接続切替部２１４は、接続切替部２１０と同様に機能する。なお、接続切替部２１４は、接続切替部２１０よりも多いアンテナに対応することができる構成にされている。
【００５９】
接続情報生成部２１３は接続情報生成部２０９と類似の構成及び機能を有する。接続情報生成部２１３の記憶部（図示省略）には、接続情報生成部２０９の記憶部２０９ｂに記憶されている情報と同種の情報が記憶されている。つまり、各アンテナ１２の識別情報（アンテナ識別情報）、モジュール識別情報、及び接続パターンが記憶されている。
【００６０】
さらに、接続情報生成部２１３の記憶部には、第１デバイス１００が備える各モジュールのモジュール識別情報と、第１デバイス１０１の各モジュールと第２デバイス１０１の各モジュールとの対応を示すモジュール対応情報とが記憶されている。モジュール対応情報は、例えば、後述する通信接続更新処理において、第１デバイス１００の各アンテナ１１の識別情報及び接続情報を取得した場合に用いられる。具体的には、第１デバイス１００において各アンテナ１１に接続される各モジュールと、第２デバイス１０１の各モジュールとが適切に組み合わされるように、モジュール対応情報に基づいて接続情報が生成される。
【００６１】
また、第２電子回路デバイス１０２は、デバッグ補助部２０４に指令を送るデバッグ処理部２１１、及びデバッグ処理部２１１と接続切替部２１４とを接続するＩＦ（インタフェース）２１２を備えている。デバッグ処理部２１１は外部端子２２７を介して外部のホストＰＣ（ホストパーソナルコンピュータ）２２８と接続されている。
【００６２】
さらにまた、第２電子回路デバイス１０２は、読み書き可能な揮発性メモリであるＲＡＭ（Random Access Memory）２２１（以下、単にメモリ２２１と呼ぶ）、および読み書き可能な不揮発性メモリであるフラッシュメモリ２２２（以下、単にメモリ２２２と呼ぶ）を備えている。メモリ２２１およびメモリ２２２は、第２電子回路デバイス１０１内の処理に使用するデータを蓄積するとともに、第１電子回路デバイス１００から伝送されたデータを蓄積したり、逆に第１電子回路デバイス１００に伝送するためのデータを蓄積したりする。
【００６３】
バス２３３には、デバッグ処理部２１１、接続情報生成部２１３、メモリ２２１、及びメモリ２２２が接続されている。
【００６４】
＜アンテナの配置パターン＞
複数のアンテナ１２の配置パターンは、図４に示すように、マトリクス状に配置されている。具体的には、複数のアンテナ１２は、交差する２つの方向である縦方向および横方向のそれぞれにおいて、等間隔に配置されている。なお、縦方向および横方向は、それぞれ、アンテナ１２の外形を成している四角形の縦と横の辺に平行な方向である。一方、複数のアンテナ１１の配置パターンは、縦方向および横方向のそれぞれにおいて、隣合う２つのアンテナ１１の間隔が、隣合う２つのアンテナ１２の間隔Ｄの自然数倍になるように配置されている。
【００６５】
このような配置パターンにより、第１デバイス１００と第２デバイス１０１とを縦方向や横方向に相対移動させたり、９０度単位で相対回転させたりして、位置関係を変えて無線通信を行うことが可能になる。
【００６６】
＜＜動作＞＞
第１及び第２電子回路デバイス１００，１０１の動作について説明する。まず、第１及び第２デバイス１００，１０１において、アンテナと各モジュールとを適切に接続させる通信接続更新処理について説明する。
【００６７】
なお、第１及び第２デバイス１００，１０１は、図２下段に示したように、４つのアンテナ１１と、４つのアンテナ１２（１２００，１２０２，１２０６，１２０８）とが対向した状態にされているものとする。
【００６８】
しかし、第１及び第２デバイス１００、１０１は、どのアンテナ１１と、どのアンテナ１２とが対向しているかを知ることはできない。そのため、接続情報生成部２０９，２１３の各々によって通信接続更新処理を実行することにより、対向しているアンテナ１１、１２が調べられる。
【００６９】
＜通信接続更新処理＞
通信接続更新処理は、第１及び第２デバイス１００，１０１間で試験的な無線通信（試験通信）を行い、その試験通信の結果に基づいて新たな接続情報を生成し、アンテナと各モジュールとを適切に接続させる処理である。
【００７０】
通信接続更新処理では、無線通信に使用するアンテナ１１，１２を選択するための試験通信処理と、選択されたアンテナ１１，１２を適切なモジュールに接続する接続処理とが含まれている。試験通信処理は、簡単に言えば、第１及び第２デバイス１００，１０１の一方のアンテナから試験信号を送信するとともに、他方のアンテナで試験信号を受信する処理である。接続情報生成処理は、試験通信処理の結果に基づいて接続情報を生成する処理である。
【００７１】
ここで、接続情報生成部２０９，２１３は、例えば、バス２０１，２３３を通じて、通信接続更新処理の開始指令を受けた場合に、それぞれ通信接続更新処理を実行するものとする。なお、開始指令は、接続情報生成部２０９に、外部デバイス３０１から、外部端子２０８、及びＩ／Ｏ−ＩＦ２０７を介して伝送される。また、接続情報生成部２１３には、ホストＰＣ２２８から、外部端子２２７、及びデバッグ処理部２１１を介して開始指令が伝送される。
【００７２】
図７は、通信接続更新処理のフローチャートである。
【００７３】
試験通信処理は、簡単に言えば、第１及び第２デバイス１００，１０１のアンテナ１１，１２間で試験信号を送受信し、無線通信に使用するアンテナを選択する処理である。図７では、第１デバイス１００の試験通信処理は、Ｓ１１〜Ｓ１４，Ｓ１６に相当し、第２デバイス１００の試験通信処理は、Ｓ２１〜Ｓ２４に相当する。
【００７４】
また、図７では、第１デバイス１００の接続処理は、Ｓ１５、Ｓ１７に相当し、第２デバイス１００の接続処理は、Ｓ２４〜Ｓ２６に相当する。
【００７５】
（ａ）第１デバイス１００側の接続情報生成部２０９の処理
まず、接続情報生成部２０９の処理について説明する。
【００７６】
ステップＳ１１において、各アンテナ１１から試験信号が送信される。なお、本実施の形態において、試験信号を送信する一のアンテナ１１が接続情報生成部２０９に接続され、設定時間Ｔａ（例えば、０．１秒）ごとにアンテナ１１の選択が切替えられる切替送信処理が行われる。例えば、接続情報生成部２０９に接続されるアンテナ１１の選択が、アンテナ１１００、アンテナ１１０１、アンテナ１１０２、アンテナ１１０３、アンテナ１１００、アンテナ１１０１、・・・、というように、符号の昇順に、巡回的に選択される。
【００７７】
この切替送信処理は、各アンテナ１１によって設定回数（例えば、３回）ずつ試験信号を送信した後、終了する。
【００７８】
なお、アンテナ１１の選択、及び選択の切替えは、接続情報生成部２０９によって指示情報が生成され、その指示情報に従い接続切替部２１０が接続を切替えることで実行されている。また、選択されていないアンテナ１１は、無接続状態にされる。
【００７９】
試験信号は、接続情報生成部２０９の情報通信処理部２０９ａによって生成され、無線通信用ＩＦ部２０９ｄを介して接続切替部２１０に送信される。また、試験信号は、例えば、「１１０」を繰り返し送信する信号とすることができる。
【００８０】
Ｓ１２において、受信検知部２０９ｅによって、各アンテナ１１が試験信号を受信しているか否かを検知する受信検知処理が行われる。この受信検知処理は、後述するＳ２３において第２デバイス１０１によって送信される試験信号を受信するために行われる。
【００８１】
受信強度は、電圧検出部１５２によって検出された各アンテナ１１の電圧値である。そして、受信強度が、設定時間Ｔａより短い期間Ｔｂ内において閾値を超えるアンテナ１１は、試験信号を受信したと判断される。
【００８２】
この受信検知処理は、開始から設定時間Ｔｃ経過後、終了する。設定時間Ｔｃは、例えば、後述するＳ２３において第２デバイス１０１から試験信号が送信される期間よりも長くすることができる。
【００８３】
Ｓ１３の判定処理により、受信強度が閾値を超えるアンテナ１１が設定数（例えば、３つ）以上でない場合は、再度Ｓ１１,Ｓ１２の処理が行われる。受信強度が閾値を超えるアンテナ１１が設定数以上である場合は、Ｓ１４が実行される。
【００８４】
Ｓ１４において、無線通信に使用するアンテナ１１を選択する選択処理が行われる。この選択処理では、基本的に、受信強度が閾値を超えたアンテナ１１が選択される。なお、第２デバイス１０１の一のアンテナ１２によって送信された試験信号を、同時に複数のアンテナ１１で受信している場合、通信品質の高いもの、例えば、受信強度が大きいアンテナ１１を選択する。ここでは、例えば、全てのアンテナ１１（１１００〜１１０３）が選択されたものとする。
【００８５】
Ｓ１５において、前述の接続パターンに基づいて接続情報が生成され、選択されたアンテナ１１と複数のモジュールとの接続関係が規定される。この接続情報は、例えば、アンテナ１１００，１１０１とデバッグ補助部２０６（ＩＦ２１７）とを接続し、アンテナ１１０２と接続情報生成部２０９とを接続し、アンテナ１１０３と無線通信用ＩＦ２０５とを接続するものであるとする。なお、前述のように、デバッグ補助部２０６のＩＦ２１７は、２つのインタフェース回路を備えており、２つのアンテナ１１を介して通信することが可能である。
【００８６】
Ｓ１６において、Ｓ１１の切替送信処理と同様の送信方法で、選択されたアンテナ１１から、各アンテナ１１の識別情報と、接続情報とが送信される。ここでは、接続情報は、各アンテナ１１にどのモジュールが接続されるかを示す情報であり、例えば、各アンテナ１１に接続されているモジュールの識別情報である。具体的には、アンテナ１１００はデバッグ補助部２０６と接続されており、デバッグ補助部２０６の識別情報がアンテナ１１００の接続情報となる。この場合、アンテナ１１００から、アンテナ１１００の識別情報と、デバッグ補助部２０６の識別情報とが送信される。つまり、各アンテナ１１の識別情報と、接続情報とが送信されるとは、各アンテナ１１の識別情報と、各アンテナ１１に接続されるモジュールの識別情報とが送信されることといえる。
【００８７】
他のアンテナ１１０１〜１１０３でも同様に、アンテナ１１の識別情報と、モジュール（接続情報生成部２０９など）の識別情報とが送信される。デバッグ補助部２０６のＩＦ２１７には２つのアンテナ１１を接続できることから、デバッグ補助部２０６に２つの識別情報が割り当てられている。
【００８８】
Ｓ１７において、Ｓ１５で生成された接続情報に基づき指示情報が生成される。この指示情報が接続切替部２１０に送られ、接続切替部２１０によって接続が切替えられる。
【００８９】
（ｂ）第２デバイス１０１の接続情報生成部２１３の処理
一方、Ｓ２１において、接続情報生成部２１３の受信検知部２０９ｅによって、前述のＳ１２と同様の各アンテナ１２の受信強度を検出する受信検知処理が行われる。この受信検知処理によって、第１デバイス１００側から送信される試験信号を受信したアンテナ１２を検知することができる。なお、この受信検知処理は、設定数（例えば、３つ）以上のアンテナ１２について受信強度が閾値を超えるまで終了しない（Ｓ２２）。また、いずれか１つのアンテナ１２の受信強度が閾値を超えた後、設定時間Ｔｄの間は設定数（例えば、３つ）以上のアンテナ１２について受信強度が閾値を超えても終了しないものとする。ここで、設定時間Ｔｄは、第１デバイス１００において、Ｓ１１とＳ１２とが実行される時間よりも長く設定されている。
【００９０】
Ｓ２２において、上記Ｓ１４と同様に、無線通信に使用するアンテナ１２を選択する選択処理が行われる。ここでは、例えば、４つのアンテナ１２（１２００，１２０２，１２０６，１２０８）が選択されたものとする。
【００９１】
Ｓ２３において、上記選択された３つのアンテナ１２で、前述のＳ１１と同様の切替送信処理が行われ、試験信号が送信される。この切替送信処理は、Ｓ１１とＳ１２とが実行される時間よりも長い期間行われる。
【００９２】
Ｓ２４において、第１デバイス１００からの情報送信の受信待ちを行う。こことき、選択されたアンテナ１２のうち、接続情報生成部２１３に接続するものを設定時間間隔で切替えながら受信する切替受信処理が行われる。この切替受信処理では、第１デバイス１００の一のアンテナ１１による１回の送信時間Ｔａの間に、選択された各アンテナ１２によって少なくとも１回ずつ受信できるように切替が行われる。具体的には、選択されたアンテナ１２の数をＮ個とすると、送信時間ＴａをＮ＋１で除した時間以下の時間間隔で接続が切替えられる。また、上記時間間隔は、第１デバイス１００から送信される識別情報および接続情報を取得可能な時間以上にされる。これにより、送信時間Ｔａの間に、確実に各アンテナ１２によって少なくとも一回ずつ受信を行うことができる。
【００９３】
なお、切替受信処理は、接続情報生成部２１３から接続切替部２１３に、自己に接続するアンテナ１２を順に変更する指示情報を所定時間間隔（後述する）で送ることで実行される。また、接続情報生成部２１３に接続されるアンテナ１２は、例えば、Ｓ１１の切替送信処理と同様に、符号の昇順に、巡回的に選択される。なお、選択されたアンテナ１２以外のアンテナ１２は無接続状態にされる。
【００９４】
ここで、切替受信処理において、選択された一のアンテナ１２を介して、そのアンテナ１２と対向する一のアンテナ１１から送信された識別情報および接続情報が受信される。そして、受信したアンテナ１２の識別情報と、アンテナ１１から送信された識別情報および接続情報とが、対応付けられて記憶部２０９ｂに記憶される。この対応付けにより、対向するアンテナ１１とアンテナ１２とがペアにされる。
【００９５】
Ｓ２５において、第１デバイス１００から送信された識別情報および接続情報に基づき、第２デバイス１０１側の接続情報が生成される。このとき、記憶部のモジュール対応情報が参照され、第１デバイス１００側のモジュールと、第２デバイス１０１側のモジュールとを適切に接続する接続関係（各アンテナ１２と各モジュールとの接続関係）が定められ、記憶される。
【００９６】
具体的には、例えば、アンテナ１２００を介して、アンテナ１１００の識別情報および接続情報が受信されたとする。アンテナ１１００にはデバッグ補助部２０６が接続されているため、アンテナ１２００にデバッグ処理部２１１を接続させる接続関係が定められる。その他、アンテナ１１０１とペアになるアンテナ１２０８にはメモリ２２２を接続し、アンテナ１１０２とペアになるアンテナ１２０２には接続情報生成部２１３自身を接続し、アンテナ１１０３に対向するアンテナ１２０６にはメモリ２２１を接続する接続関係が定められる。これら４つのアンテナ１２以外のアンテナは、無接続状態にされる。
【００９７】
Ｓ２６において、上記接続情報に基づいて指示情報が生成される。この指示情報が接続切替部２１４に送られると、接続切替部２１４によって接続が切替えられる。
【００９８】
（ｃ）  以上の処理によって、第１及び第２デバイス１００，１０１のそれぞれにおいて、アンテナとモジュールとが適切に接続される。この後、接続情報生成部２０９，２１３は、無線通信が可能になったことをバス２０１、２３３を介してデバッグ補助部２０６、デバッグ処理部２１１に通知する。そして、デバッグ処理部２１１によってデバッグ処理が開始される。そして、アンテナとモジュールとが適切に接続されたことで、例えば、デバッグ処理において、デバッグ補助部２０６と、デバッグ処理部２１１あるいはメモリ２２２との間でデータ通信を行うことが可能になる。また、無線通信用ＩＦ２０５とメモリ２２１との間でデータ通信を行うことが可能になる。
【００９９】
この場合、例えば、無線通信用ＩＦ２０５とメモリ２２１（ＩＦ２３１）とは、１組のアンテナのペアを介して半二重通信を行う。よって、無線通信用ＩＦ２０５等は、スイッチ２１０ａと同様のスイッチ（図示省略）を介してドライバ１５１に接続され、ドライバ１５１の送信状態と受信状態とを切替えるものとすることができる。
【０１００】
なお、デバッグ処理についての説明は省略する。
【０１０１】
＜位置ずれ検知処理＞
次に、例えば、デバッグ処理の実行中において、接続情報生成部２０９，２１３によって実行される位置ずれ検知処理について説明する。
【０１０２】
上記通信接続更新処理によって、アンテナ１１，１２とモジュールとが適切に接続された。しかし、一旦第１及び第２デバイス１００，１０１を設置し、接続関係を設定した後であっても、位置関係を変更する場合があり得る。
【０１０３】
このような場合、ホストＰＣ２２８及び外部デバイス３０１によって、通信接続更新処理を再度行うように指示することも可能な場合もあるが、自動的に通信接続更新処理が行われると電子回路システムの利便性が向上する。
【０１０４】
そこで、位置ずれ検知処理によって、第１及び第２デバイス１００，１０１の位置関係が変わったことを検知すれば、自動的に通信接続更新処理を行うことができる。
【０１０５】
位置ずれ検知処理は、第１デバイス１００と第２デバイス１０１との間で、ペアとなるアンテナを介して接続確認用の信号である確認信号を間欠的に送受信し、接続を確認する処理である。位置ずれ検知処理は、通信接続更新処理が行われた後、接続情報生成部２０９，２１３の各々の情報通信処理部によって持続的に実行され、第１及び第２デバイス１００，１０１間の接続を監視する。
【０１０６】
ここで、通信接続更新処理で説明した例のように、位置ずれ前において、接続情報生成部２０９，２１３がアンテナ１１０２，１２０２を介して無線通信が可能な場合を想定する。接続情報生成部２０９，２１３は、設定時間Ｔｅ間隔（例えば、０．１秒）で確認信号を交互に送受信する。そして、接続情報生成部２０９，２１３の各々は、確認信号を送信した後、設定時間Ｔｆ（例えば、Ｔｅの２倍）経過しても、確認信号の強度が確認信号の閾値以下である場合に位置関係が変わったと判断して通信接続更新処理を実施する。なお、確認信号を送信した後、設定時間Ｔｆ経過しても、通信対象のデバイスから確認信号が送られてこない場合も、確認信号の強度が確認信号の閾値以下であると判断される。
【０１０７】
位置ずれが検知された場合、接続情報生成部２０９，２１３は、通信接続更新処理を実行する。以下に、位置ずれが生じた場合の具体例を説明する。
【０１０８】
例えば、図８に示すように、第２デバイス１０１が図８（ａ）に示す位置関係から、図面の上方向にずれて、図８（ｂ）に示す位置関係になったとする。すると、第１デバイス１００の各アンテナ１１と第２デバイス１０１の各アンテナ１２との位置関係も変化する。例えば、アンテナ１１００に対してアンテナ１２０４が対向するように位置関係が変化する。すると、アンテナ１１とアンテナ１２との通信における接続状況も変化するため、確認信号の強度が閾値以下となり、上記位置ずれ検知処理によって位置ずれが検知される。そのため、通信接続更新処理が行われ、接続情報生成部２０９および接続情報生成部２２３は、この変化に基づき接続情報を更新する。さらに、この接続情報の更新によって、接続切替部２１０および接続切替部２２４は、内部の伝送対象の信号とアンテナ１１、１２とを新たな接続へと切り替える。
【０１０９】
このような動作によって、例えば、第２電子回路デバイス１０１が上方向にずれたとすると、第１電子回路デバイス１００のＩＦ２１７の信号Ｄｔ２が、アンテナ１１００とアンテナ１２１２との新たなペアを介し、第２電子回路デバイス１０１のメモリ２２２に蓄積されることになる。特に、本実施の形態では、第２電子回路デバイス１０１のアンテナの個数を伝送対象の信号の分類の個数よりも多くしているため、第１電子回路デバイス１００と第２電子回路デバイス１０１との配置関係においてずれが生じても、無線通信が機能しなくなるような不都合を抑制できる。
【０１１０】
＜その他＞
本実施の形態において、第１デバイス１００のアンテナ１１の個数は、最低限伝送対象の信号の個数としている。一方、第２デバイス１０１のアンテナ１２の個数を第１デバイス１００のアンテナ１１の個数よりも多くしている。このような構成により、本電子回路システムは、電子回路デバイス間で無線接続に利用するアンテナを一意に特定せずに、電子回路デバイス間で密着型の無線通信を行うことができる。よって、本電子回路システムは、電子回路デバイス間の位置関係の制約及びアンテナの数や配置の制約を受けにくいものとなっている。
【０１１１】
このように、本電子回路システムは、第１デバイス１００と第２デバイス１０１との位置関係において変化が生じたとしても、新たなアンテナ間のペアへと更新するように動作する。このため、デバイス間の位置関係に影響されにくく、容易に非接触でデバイス間のデータ通信を行うことができる。
【０１１２】
なお、本実施の形態では、伝送対象の信号として信号Ｄｔ１とＤｔ２と２つとした例を挙げているが、１つであっても複数であってもよい。電子回路の信号の個数は、信号の特性に応じた分類に基づく個数としても構わない。
【０１１３】
また、接続情報生成部が、第１デバイス１００のアンテナの個数と第２デバイス１０１のアンテナの個数とに基づき、信号の分類の個数を決定するような構成としてもよい。すなわち、アンテナの個数に余裕があるような場合、例えば、信号Ｄｔ１を複数のアンテナペアによりパラレルに伝送するような構成としてもよい。
【０１１４】
以上説明したように、本実施の形態の電子回路システムは、第１デバイス１００とデバイス１０１とで構成される。そして、第１デバイス１００が、複数のアンテナ１１と、電子回路デバイス間でのアンテナどうしのペアを決定し、決定したペアに関する接続情報を生成する接続情報生成部２０９と、接続情報に応じて伝送対象の信号とアンテナ１１との接続を切り替える接続切替部２１０とを備える。また、第２デバイス１０１が、複数のアンテナ１２と、電子回路デバイス間でのアンテナどうしのペアを決定し、決定したペアに関する接続情報を生成する接続情報生成部２２３と、接続情報に応じて伝送対象の信号とアンテナ１２との接続を切り替える接続切替部２２４とを備える。このような構成により、第１デバイス１００と第２デバイス１０１との位置関係に変化が生じたとしても、接続情報生成部２０９、２２３、および接続切替部２１０、２２４の動作によって、新たなアンテナどうしのペアへと更新される。このため、デバイス間の位置関係やデバイスのサイズに影響されず容易に非接触でデバイス間のデータ通信を行うことができる。
【０１１５】
上記位置ずれ検知処理は、第１及び第２デバイス１００，１０１が確実に固定されていなかったり、ユーザがデバッガ装置にぶつかったりするなどのアクシデントによって、デバッグ処理の途中で第１デバイス１００と第２デバイス１０１との位置がずれる場合にも有効である。なお、通信接続更新処理で、通信可能なアンテナのペアがない場合に、外部デバイス等にエラーを出力するようにしてもよい。
【０１１６】
［変形例１］
上記実施の形態において、アンテナ１１の数は４つであったが、アンテナ１１の数が３以下でもよいし、５以上でもよい。
【０１１７】
図９（ａ），（ｂ）に、第１デバイス１００のアンテナ１１を３つにした変形例を示す。なお、本変形例の第１電子回路デバイス１０５，１０６は、アンテナ１１の数と配置パターンが異なる以外は第１デバイス１００と同様であるので、異なる部分について説明する。
【０１１８】
図９（ａ）に示すように、第１電子回路デバイス１０５（以後、第１デバイス１０５）は、３つのアンテナ１５を備えている。この３つのアンテナ１５は、正方形の４つの頂点のうちの３つの頂点の位置に配置されている。また、３つのアンテナ１５の各々は、それぞれ第２デバイス１０１の複数のアンテナ１２のいずれか１つに対向している。
【０１１９】
この例では、縦方向及び横方向において、相隣合う２つのアンテナ１５の間隔が、相隣合う２つのアンテナ１２の間隔と同じにされている。
【０１２０】
また、図９（ｂ）に示すように、第１電子回路デバイス１０６（以後、第１デバイス１０６）は、３つのアンテナ１６を備えている。この３つのアンテナ１６は、縦方向に直列に配置されている。また、３つのアンテナ１６の各々は、それぞれ第２デバイス１０１の複数のアンテナ１２のいずれかに対向している。
【０１２１】
この例では、縦方向において、相隣合う２つのアンテナ１５の間隔が、相隣合う２つのアンテナ１２の間隔と同じにされている。
【０１２２】
上記２つの第１デバイス１０５，１０６であっても、実施の形態１と同様に、通信接続更新処理によって、アンテナ１５，１６とモジュールとの接続関係を自動的に設定することができる。また、位置ずれ検知処理によって、第１デバイス１０５，１０６と第２デバイス１０１との位置関係の変化を検出し、再度通信接続更新処理を行うことも可能である。
【０１２３】
また、第２デバイス１０１のアンテナ数を第１デバイス１００、１０５、１０６のアンテナ数よりも多くしているため、第１デバイス１００が変更されても、接続情報を更新することで、無線通信を可能とする。すなわち、本実施の形態では、第２電子回路デバイスに対して第１電子回路デバイスのアンテナの数や配置が変更されてもそれぞれに無線通信が可能である。よって、電子回路デバイスのサイズや種類などに影響されず、容易に密着型の無線通信で電子回路デバイス間の通信接続を行うことができる。
【０１２４】
［変形例２］
上記実施の形態１及び変形例において、アンテナ１２がマトリクス状に配置されていたが、その他の配置パターンにしてもよい。
【０１２５】
図１０（ａ），（ｂ）に、第１電子回路デバイス１０８（以下、第１デバイス）、第２電子回路デバイス１０７（以下、第２デバイス）のアンテナの配置パターンを示す。なお、本変形例の第１デバイス１０８は、アンテナの数と配置パターンが異なる以外は第１デバイス１００と同様であるので、異なる部分について説明する。
【０１２６】
図１０（ａ）に示すように、第２デバイス１０７の複数のアンテナ１７は、２つの同心円の中心位置と、２つの同心円の周上に配置されている。
【０１２７】
一方、第１デバイス１０８の複数のアンテナ１８は、直列に並べられている３つのアンテナ１８０１，１８０２，１８０３である。そして、アンテナ１８０１，１８０３が、複数のアンテナ１７のいずれかと対向している。この場合、通信接続更新処理が行われると、アンテナ１８０１，１８０３がモジュールに接続され、２つのアンテナ１８を介して密着型の無線通信が行われることとなる。
【０１２８】
ここで、アンテナ１８０１とアンテナ１８０２との間隔は、上記２つの同心円のうちの小さい円１０７ａの半径と等しくされている。また、アンテナ１８０１とアンテナ１８０３との間隔は、大きい円１０７ｂの半径と等しくされている。
【０１２９】
このような構成により、第１デバイス１０８と第２デバイス１０７とを、アンテナ１８０１，１７０１を中心に相対回転させると、アンテナ１８０２は小さい円１０７ａの周上を移動し、アンテナ１８０３大きい円１０７ｂの周上を移動することとなる。そして、アンテナ１８０２とアンテナ１８０３との一方がアンテナ１７と対向する位置で相対回転を停止させれば、２つのアンテナ１８による無線通信ができる。
【０１３０】
図１０（ｂ）は、第１デバイス１０８と、第２デバイス１０７とが、アンテナ１８０１，１７０１を中心に相対回転させられた後の状態を示す。この状態において、アンテナ１８０１，１８０２が、アンテナ１７０１，１７０２と対向している。このように、本変形例の電子回路システムでは、第１デバイス１０８と第２デバイス１０７とを相対回転させて位置関係を変化させた後も、２組のアンテナのペアによって無線通信を行うことができる。
【０１３１】
［変形例３］
前記実施の形態１の通信接続更新処理において、試験信号の送受信によって無線通信に使用するアンテナが選択されていた。その試験信号を、各アンテナの識別情報にすることができる。また、前記実施の形態１の接続情報生成部２０９，２１３は、一のアンテナから試験信号を送信していたが、一度に全てのアンテナから試験信号を送信することとしてもよい。
【０１３２】
本変形例の第１電子回路デバイス（以後、第１デバイス）、第２電子回路デバイス（以後、第２デバイス）は、それぞれ前記第１デバイス１００、第２デバイス１０１と同様であるので、異なる部分について説明する。なお、本変形例の第１デバイス、第２デバイスは、前記第１デバイス１００、第２デバイス１０１と部分的に異なっているが、図面上大きな差はない。よって、本変形例においても、第１デバイス、第２デバイスに実施形態１と同じ符号（１００，１０１）を付すこととする。
【０１３３】
＜構成＞
図１１は、接続情報生成部３０９（あるいは接続情報生成部３１３）の構成を模式的に示すブロック図である。
【０１３４】
本変形例の接続情報生成部３０９，３１３は、前記実施の形態１の接続情報生成部２０９と同様の構成を備えている。ただし、無線通信用ＩＦ部３０９ｄは、アンテナ１１と同数（この例では、４個）のインタフェース回路を備えており、各インタフェース回路は、それぞれ一のアンテナ１１と接続されている。よって、無線通信用ＩＦ部３０９ｄは、全てのアンテナ１１と個別に信号の送受信を行うことができる。接続情報生成部３１３の無線通信用ＩＦ部もアンテナ１２と同数のインタフェース回路を備えており、全てのアンテナ１１と個別に信号の送受信を行うことができる。
【０１３５】
また、接続情報生成部３０９の情報通信処理部３０９ａは、４つのアンテナ１１のそれぞれに送る信号を生成し、あるいは、４つのアンテナ１１を介して受信された信号を処理することができる。また、第２デバイス１０１の接続情報生成部３１３は、接続情報生成部３０９と同様に、１６個のアンテナ１２の各々と個別に信号を送受信し得るものである。
【０１３６】
そして、接続情報生成部３０９，３１３は、全てのアンテナを接続情報生成部自信に接続させる指示情報を接続切替部２１０，２１３に送信し、接続切替部２１０，２１３によってアンテナの接続を切替えることができる。
【０１３７】
＜通信接続更新処理２＞
上記接続情報生成部３０９，３１３によって行われる通信接続更新処理２について、以下に説明する。なお、本変形例の通信接続更新処理の後に２を付して、前記実施の形態１の通信接続更新処理と区別することとする。
【０１３８】
図１２は、本変形例３における電子回路システムの通信接続更新処理２のフローチャートである。
【０１３９】
接続情報生成部３０９、３１３は、例えば、電源投入直後、マイコン動作直後や所定の時間間隔ごとに通信接続更新処理２を実行し、各アンテナ間の接続関係の確認を行う。ここで、アンテナ１１を構成する複数のアンテナはそれぞれ識別情報を有している。アンテナ１２を構成する複数のアンテナもそれぞれ識別情報を有している。接続情報生成部３０９、３１３は、それぞれの記憶部２０９ｂに各アンテナの識別情報を記憶している。そして、接続情報生成部３０９および接続情報生成部３１３は、これらの識別情報を利用して接続関係の確認や、接続情報の生成を行う。なお、前記実施の形態１で通信接続更新処理について詳細に説明したため、通信接続更新処理２については簡潔に説明する。
【０１４０】
通信接続更新処理２は、第１デバイス１００と第２デバイス１０１との間で送受信を行いながら進行する。よって、図１２のフローチャートには、第１デバイス１００の接続情報生成部３０９の処理と、第２デバイス１０１の接続情報生成部３１３の処理が記載されている。接続情報生成部３０９の処理は、Ｓ２０１，Ｓ２０４〜Ｓ２０７，Ｓ２１０である。また、接続情報生成部３１３の処理は、Ｓ２０２，Ｓ２０３，Ｓ２０８，Ｓ２０９である。
【０１４１】
まず、第１デバイス１００の接続情報生成部３０９は、各アンテナ１１からそれぞれの識別情報を、第２デバイス１０１に向けて送信する。ここで、第１デバイス１００と第２デバイス１０１との配置関係が図２に示した状態の場合、アンテナ１１００、１１０１、１１０２、１１０３それぞれに対して、対向した第２デバイス１０１のアンテナ１２００、１２０８、１２０２、１２０６それぞれに、識別情報が伝送される（ステップＳ２０１）。
【０１４２】
次に、第２デバイス１０１の接続情報生成部３１３は、第１デバイス１００からの識別情報について、各アンテナ１２のうち、いずれのアンテナで受信したかを記憶する（ステップＳ２０２）。さらに、接続情報生成部３１３は、第１デバイス１００のアンテナ１１に、識別情報の受信結果を第２デバイス１０１側の受信結果とし、第２デバイス１０１の各アンテナ１２の識別情報とともに第２デバイス１０１受信結果を送信する（ステップＳ２０３）。
【０１４３】
次に、第１デバイス１００の接続情報生成部３０９は、第２デバイス１０１から送られた第２デバイス１０１受信結果および各アンテナ１２の識別情報とともに、第１デバイス１００の各アンテナ１１の受信結果を第１デバイス１００受信結果として記憶する（ステップＳ２０４）。その後、第１デバイス１００の接続情報生成部３０９は、アンテナ１１とアンテナ１２との間の有効なペアの判定処理を行う。この判定結果において、有効と判定されたペアが存在しない場合は処理を終了する（ステップＳ２０５）。
【０１４４】
このような、有効ペアの判定処理は、アンテナを介した通信の通信品質に基づき、ペアとするアンテナを決定する。より具体的には、１つのアンテナに対し、複数のアンテナが受信してしまう場合は、例えば感度の高い方（例えば、受信強度が高い方）あるいはエラーレートの低い方など、受信可能なアンテナより、いずれか通信品質のよい方のアンテナを一意的に選択し採用すればよい。
【０１４５】
有効と判定されたペアが存在する場合は、接続情報生成部３０９は、第１デバイス１００内の伝送対象の信号と有効とされたアンテナ１１との接続情報を更新する（ステップＳ２０６）。次に、第１デバイス１００の接続情報生成部３０９は、第１デバイス１００の接続情報を第２デバイス１０１に送信する（ステップＳ２０７）。
【０１４６】
第２デバイス１０１の接続情報生成部３１３は、第１デバイス１００の接続情報を受信する。さらに、接続情報生成部３１３は、受け取った第１デバイス１００の接続情報を参照して、有効なペアとして認識されたアンテナ１２００、１２０８、１２０２、１２０６とメモリ２２１、２２２との割付を行う。そして、接続情報生成部３１３は、その割付に適切に対応するように、第２デバイス１０１の接続情報を更新する（ステップＳ２０８）。その後、接続情報生成部３１３は、第２デバイス１０１の接続情報の更新結果を第１デバイス１００に送信する（ステップＳ２０９）。
【０１４７】
最後に、第１デバイス１００の接続情報生成部３０９は、第２デバイス１０１の更新結果を受信し、通信接続更新処理を終了する（ステップＳ２１０）。
【０１４８】
以上に述べた通信接続更新処理２によって、迅速かつ容易にアンテナとモジュールとを適切に接続することができる。
【０１４９】
なお、電源立ち上げ時やデバッグの開始時などアンテナ１１とアンテナ１２とのペアが決まっていないときに、情報を伝送したい場合は、全てのアンテナから所望の同じ情報を送信し、いずれかのアンテナで受信すればよい。
【０１５０】
［実施の形態２］
上記実施の形態１において、第２デバイス１０１がデバッグ処理を行う電子回路デバイスとされていたが、メモリデバイスとすることもできる。
【０１５１】
図１１は、本実施の形態２の第１電子回路デバイス１１０（以後、第１デバイス）及び、第２電子回路デバイス１１１（以後、第２デバイス）を含む電子回路システムの構成を示すブロック図である。なお、第１デバイス１１０は前記第１デバイス１００と共通する構成を備え、第２デバイス１１１は前記第１デバイス１０１と共通する構成を備えているため、図１および図２と同じ構成要素については同じ符号を用い、説明を省略、あるいは簡略化する。
【０１５２】
本実施の形態において、第１デバイス１１０はマイクロコンピュータを構成する電子回路を含むＬＳＩ等の集積回路である。第２デバイス１１１は、メモリ装置を構成する電子回路を含むＬＳＩ等の集積回路である。
【０１５３】
以下に、第１デバイス１１０及び第２デバイス１１１について説明する。
【０１５４】
＜＜構成＞＞
＜第１電子回路デバイス＞
まず、第１デバイス１１０では、図１３に示すように、バス２０１に、ＣＰＵ２０２、コア処理部２４１、デバッグ補助部２０６および外部ＩＦ２４２が接続されている。ＣＰＵ２０２、デバッグ補助部２０６は実施の形態１と同じである。なお、本実施の形態において、デバッグ処理を行わないが、デバッグ補助部２０６は第２デバイス１１１との通信に用いられる。コア処理部２４１は、コア処理部２４１内に設けたメモリ（図示せず）へのデータ書込みや読出し処理を行う。また、外部ＩＦ２４２は、バス２０１と外部端子２４３との間に配置され、第１デバイス１１０の外部に接続されたデバイス２２０とバス２０１との信号の授受を仲介する処理（インタフェース処理）を行う。
【０１５５】
第１デバイス１１０は、さらに、外部端子２４５を有しており、コアＩＦ２４６がコア処理部２４１と外部端子２４５との間に配置されている。コアＩＦ２４６は、外部に接続されたデバイス２１９とコア処理部２４１との信号の授受を仲介する処理（インタフェース処理）を行う。メモリＩＦ２４７は、コア処理部２４１のメモリに対してＣＰＵ２０２などがアクセスするときの信号の授受を仲介する処理（インタフェース処理）を行う。
【０１５６】
また、第１デバイス１１０は、さらに、デバッグＩＦ（インタフェース）２４８を有しており、デバッグＩＦ２４８によってデバッグ補助部２０６と接続切替部２１０とを接続している。
【０１５７】
上記メモリＩＦ２４７、及びデバッグＩＦ２４８は、シリアル−パラレル変換処理や、データのバッファなどの信号の授受を仲介する処理を行う。
【０１５８】
本実施の形態においても、実施の形態１と同様に、接続情報生成部２０９の指示情報を接続切替部２１０に送ることで、アンテナ１１とモジュール（メモリ２２１，２２２）との接続を切替えることができる。
【０１５９】
例えば、接続情報生成部２０９が指示情報により、デバッグＩＦ２４８（信号Ｄｔ２）をアンテナ１１００に接続し、メモリＩＦ２４７（信号Ｄｔ１）をアンテナ１１０３に接続するように指示すると、接続切替部２１０は、これに応じた信号接続を行う。これによって、デバッグＩＦ２４７から出力される信号Ｄｔ２がアンテナ１１００によって伝送され、メモリＩＦ２４５から出力される信号Ｄｔ１がアンテナ１１０３によって伝送される。このように、接続切替部２１０は、接続情報に応じて第１デバイス１００内での信号と各アンテナ１１との接続を切り替える。言い換えると、第１デバイス１００内の電子回路モジュール（デバッグ補助部２０６、メモリＩＦ２４７等）と、アンテナ１１との接続を切り替える。
【０１６０】
＜第２電子回路デバイス＞
さらに、第２デバイス１１１は、複数のアンテナ１２と、接続情報生成部２２３と、接続切替部２２４と、メモリＩＦ２３１と、メモリＩＦ２３２とを備えている。図１３では、複数のアンテナ１２のうち、アンテナ１２００、１２０１、１２０２、１２０３、１２０４、１２０６、１２０８に符号を付している。
【０１６１】
アンテナ１２、および接続切替部２２４は実施の形態１と同じである。メモリＩＦ２３１、及びメモリＩＦ２３２は、それぞれ実施の形態１のＩＦ２３１、ＩＦ２３２と同じ機能を備えている。
【０１６２】
＜＜動作＞＞
本実施の形態においても、前記実施の形態１と同様に、通信接続更新処理が行われ、アンテナとモジュールとの接続が更新される。通信接続更新処理については前記実施の形態１と同じであるため、接続更新後の信号の流れについて説明する。
【０１６３】
接続切替部２２４は、各アンテナ１２と接続されており、各アンテナ１２からの信号が供給される。さらに、接続切替部２２４は、メモリインタフェースであるメモリＩＦ２３１を介してメモリ２２１に接続され、メモリ２２１に対して信号を供給する。また、接続切替部２２４は、メモリインタフェースであるメモリＩＦ２３２を介してメモリ２２２に接続されており、メモリ２２２に対して信号を供給する。
【０１６４】
このように、メモリおよびＩＦが２つに区分されており、メモリ２２１とメモリ２２２とに、異なる種別の信号を伝送し、分類して格納することができる。例えば、メモリ２２１とメモリ２２２とに、互いに異なるモジュールから信号を送信することが可能である。
【０１６５】
なお、伝送対象の信号は、アンテナ１２、接続切替部２２４、メモリＩＦ２３１，２３２の順に伝送される。よって、接続切替部２２４によって、適切なアンテナ１２をメモリＩＦ２３１，２３２に接続させることで、メモリ２２１、２２２に適切な信号を伝送することができる。なお、接続切替部２２４は、接続情報生成部２２３から送信された指示情報に従い各アンテナ１２と、メモリ２２１およびメモリ２２２との接続を切り替える。
【０１６６】
例えば、接続情報生成部２２３から送信された指示情報が、アンテナ１２００をメモリ２２１（メモリＩＦ２３１を介して）に接続し、アンテナ１２０６をメモリ２２２（メモリＩＦ２３２を介して）に接続するように指示すると、接続切替部２２４は、これに応じた信号接続を行う。これによって、アンテナ１２００を介して受信された信号Ｄｔ１がメモリ２２１に蓄積され、アンテナ１２０６を介して受信された信号Ｄｔ２がメモリ２２２に蓄積される。このように、接続切替部２２４は、指示情報に応じて、各アンテナ１２と第２デバイス１０１内の信号の伝送先との接続を切り替える。
【０１６７】
また、図１３では、第１デバイス１００と第２デバイス１０１との配置関係において、アンテナ１１００と１２００、１１０１と１２０８、１１０２と１２０２、および１１０３と１２０６とのアンテナが近接してそれぞれ対となった一例を挙げている。
【０１６８】
また、第１デバイス１００の接続切替部２１０は、指示情報に基づき、例えば、デバッグＩＦ２４８の信号Ｄｔ２がアンテナ１１００に伝送されるように接続するとともに、第２デバイス１０１の接続切替部２２４は、指示情報に基づき、アンテナ１２００からの信号をメモリＩＦ２３２を介してメモリ２２２に蓄積するように接続する。このようにして、例えば、第１デバイス１００のデバッグＩＦ２４８のデバッグ用の信号Ｄｔ２が、第２デバイス１０１のメモリ２２２に無線通信を介して蓄積される。
【０１６９】
なお、以上の説明では、第１デバイス１００から第２デバイス１０１へとデータが伝送される例を用いて説明したが、第２デバイス１０１から第１デバイス１００へとデータが伝送されたり、さらに、双方向にデータが伝送されたりするような構成であってもよい。例えば、第１デバイス１００のデバッグ用データが、第２デバイス１０１のメモリ２２１に蓄積されるとともに、第２デバイス１０１のメモリ２２２に蓄積されたデバッグ結果のデータが、第１デバイス１００のデバッグ補助部２０６に伝送されるような構成にも本発明を適用できる。
【０１７０】
上記の例において、接続情報にペアとなるアンテナの情報を含ませることもできる。具体的には、例えば、接続情報生成部２０９は、アンテナ１１００〜１１０３が通信した通信間の接続、すなわち、アンテナ１１００と１２００、１１０１と１２０８、１１０２と１２０２、および１１０３と１２０６とが接続されてペアになったとする接続情報を生成する。一方、接続情報生成部２２３は、アンテナ１２００、１２０８、１２０２、１２０６が通信した通信間の接続、すなわち、アンテナ１２００と１１００、１２０８と１１０１、１２０２と１１０２、および１２０６と１１０３とが接続されてペアになったとする接続情報を生成する。
【０１７１】
上記アンテナのペアの情報が接続情報に含まれている場合、接続情報生成部２０９と接続情報生成部２２３との一方から他方に、接続関係の変更を要求することができる。例えば、接続情報生成部２０９から接続情報生成部２２３に、アンテナ１２０８をメモリ２２２に接続させる要求を行うことなどである。この場合、接続情報生成部２０９はメモリ２２２の識別情報を記憶しているものとする。
【０１７２】
以上で実施の形態２の説明を終了する。
【０１７３】
［実施の形態３］
上記実施の形態１において、第１デバイス１００と第２デバイス１０１とが１対１で接続されていたが、第１デバイス１００と第２デバイス１０１との一方に複数の電子回路デバイスを密着型の無線通信によって接続することもできる。
【０１７４】
図１４は、本実施の形態の第１電子回路デバイス１１０（以後、第１デバイス）、第２電子回路デバイス１１２（以後、第２デバイス）、および第３電子回路デバイス１１３（以後、第３デバイス）を含む電子回路システムの構成を示すブロック図である。第２デバイス１１２及び第３デバイス１１３は、それぞれＬＳＩ等の集積回路として実現されている。
【０１７５】
なお、第１デバイス１１０は前記実施の形態２の第１デバイス１１０と同じであり、第２、及び第３デバイス１１２，１１３は前記第１デバイス１１１と共通する構成を備えている。よって、前記実施の形態２と同じ構成には前記実施の形態２の符号を付して説明を省略し、異なる部分を中心に説明する。
【０１７６】
図１５は、第１、第２、及び第３デバイス１１０、１１２，１１３のアンテナの配置パターンを模式的に示す図である。
【０１７７】
第２デバイス１１２は、アンテナ１３０２、１３０８を含む複数のアンテナ１３を備えている。アンテナ１３は、実施の形態１のアンテナ１１やアンテナ１２と同様の機能を有する。接続情報生成部２１３は接続情報及び指示情報を生成し、接続切替部２１４は、指示情報に応じて各アンテナ１３とデバッグＩＦ２１２を介したデバッグ処理部２１１との接続を切り替える。
【０１７８】
第３デバイス１１３は、アンテナ１４００から１４１１のアンテナ１４を備えている。アンテナ１４は、実施の形態１のアンテナ１１やアンテナ１２と同様の機能を有する。そして、実施の形態１、２の第２電子回路デバイス１０１と同様に、接続情報生成部２２３は接続情報及び指示情報を生成し、接続切替部２２４は、指示情報に応じて各アンテナ１４とメモリ２２１、２２２との接続を切り替える。
【０１７９】
このように構成された第１デバイス１１０、第２デバイス１１２及び第３デバイス１１３が、例えば、図１５の下段に示すように配置される。この場合、第１デバイス１１０の一部のアンテナ１１０２，１１０３が第２デバイス１１２の一部のアンテナ１３と対向している。また、第１デバイス１１０の他の一部のアンテナ１１００，１１０１が第３デバイス１１３の一部のアンテナ１４と対向している。
【０１８０】
この状態で、第１デバイス１１０は、第２デバイス１１２及び第３デバイス１１３と順番に通信接続更新処理を行い、接続関係を設定する。その結果、第１デバイス１１０と第２デバイス１１２とは、アンテナ１１００と１３０２、アンテナ１１０１と１３０８のペアで無線接続される。さらに、第１デバイス１１０と第３デバイス１１３とは、アンテナ１１０２と１４０３、アンテナ１１０３と１４０６のペアで無線接続される。
【０１８１】
このように、第１デバイス１１０は、第２デバイス１１２及び第３デバイス１１３の両者と無線通信を行うことができる。
【０１８２】
このような構成であっても、第１デバイス１１０及び第３デバイス１１３は、それぞれにおいて、実施の形態１と同様の通信接続更新処理を行うため、第１デバイス１１０と、第２デバイス１１２及び第３デバイス１１３との位置関係に変化が生じたとしても、新たなアンテナ間のペアへと更新するように動作する。このため、デバイス間の位置関係やデバイス間におけるアンテナの数や配置パターンの違いに影響されず容易に非接触でデバイス間のデータ接続を行うことができる。このように、１つの電子回路デバイスに対して、複数の電子回路デバイスを組み合わせることが可能である。
【０１８３】
また、例えば、第１デバイス１１０におけるデバッグＩＦ２４８の信号を、アンテナ１１００と１３０２、アンテナ１１０１と１３０８のペアに分離して第１デバイス１１０に伝送し、メモリＩＦ２４７の信号を、アンテナ１１０２と１３１３、１１０３と１３１６のペアに分離して第３デバイス１１３に伝送するような構成とすることも可能である。
【０１８４】
［実施の形態４］
前記実施の形態では、各電子回路デバイスが密着型の無線通信機能を有していた。これに対して、電子回路デバイスから無線通信機能を分離し、無線通信デバイスとすることもできる。
【０１８５】
図１６は、２つの無線通信デバイス１１４，１１５を含む無線通信システムの構成を示すブロック図である。図１６において、図１と同じ構成要素については同じ符号を用い、説明を省略する。
【０１８６】
本実施の形態では、第１無線通信デバイス１１４と、第２無線通信デバイス１１５とで構成された無線通信システムの一例を挙げて説明する。第１及び第２無線通信デバイス１１４，１１５は、ＬＳＩ等の集積回路として実現されている。
【０１８７】
第１無線通信デバイス１１４は、アンテナ２３０４、２３０５を含む複数のアンテナ１３５を備えている。アンテナ１３５は、実施の形態１のアンテナ１１と同様の機能を有する。また、接続切替部２１０には無線通信用ＩＦ２８１を介して外部のデバイス２３６に接続されている。
【０１８８】
第２無線通信デバイス１１５は、アンテナ２３０８、２３０９を含む複数のアンテナ１３６を備えている。アンテナ１３６は、実施の形態１のアンテナ１２と同様の機能を有する。また、接続切替部２２４には無線通信用ＩＦ２８１を介して外部のデバイス２３７に接続されている。
【０１８９】
このような構成によれば、無線通信インタフェースを持たないデバイス２３６、２３７においても、本電子回路システムを利用して、無線通信を可能とする。
【０１９０】
第１及び第２無線通信デバイス１１４、１１５は、例えば、後述するように携帯電話機やディスプレイ等の電子機器に組み込んで使用することができる。
【０１９１】
［実施の形態５］
前記実施の形態において、２つの電子回路デバイス、あるいは２つの無線通信デバイスのアンテナは、互いに同じ大きさにされていたが、大きさを異ならせることもできる。
【０１９２】
図１７は、第１無線通信デバイス１２０及び第２無線通信デバイス１２１からなる無線通信システムのアンテナの配置パターンを模式的に示す図である。また、図１８は、第１無線通信デバイス１２０と第２無線通信デバイス１２１とを重ねた状態のアンテナの配置を模式的に示す図である。なお、図１７（ｂ）は、第２無線通信デバイス１２１を底面（アンテナが配置されていない面）側から眺めた場合の配置パターンを示している。よって、第２無線通信デバイス１２１を天面（アンテナが配置されている面）側から眺めた場合、アンテナの配置パターンは図１７（ｂ）の鏡像の配置パターンとなる。
【０１９３】
第１及び第２無線通信デバイス１２０，１２１の構成は、アンテナの大きさや数が異なる点などを除けば、前記実施の形態４の図１６と同様であるため図示を省略する。なお、第１及び第２無線通信デバイス１２０，１２１は、ＬＳＩ等の集積回路として実現されている。
【０１９４】
＜構成＞
第１無線通信デバイス１２０は、サイズの大きい２つの送信アンテナ２０と、サイズの小さい複数の受信アンテナ２１とを備えている。２つの送信アンテナ２０は、第１無線通信デバイス１２０の中央を原点とするＸＹ座標を想定すると、第２象限及び第４象限に１つずつ配置されている。複数の受信アンテナ２１は、第１象限及び第３象限に、それぞれ複数ずつマトリクス状に配列されてアンテナ群２２を形成している。第２無線通信デバイス１２１のアンテナについては、送信アンテナ３０と受信アンテナ３１（あるいは受信アンテナ群３２）との配置場所が異なる以外は第１無線通信デバイス１２０と同様である。
【０１９５】
なお、送信アンテナ２０、３０は、送信用のドライバを介して接続切替部２１０、２２４に接続され、受信アンテナ２１、３１は受信用のドライバを介して接続切替部２１０、２２４に接続される。
【０１９６】
図１８（ａ）に示すように、送信アンテナ２０は、マトリクス状に配列された４つの受信アンテナ２１を囲む大きさにされている。これにより、送信アンテナ２０が、複数の受信アンテナ２１が配置された範囲内に対向している場合、確実に複数の受信アンテナ２１のいずれかと対向することとなる。例えば、送信アンテナ２０が図１８（ａ）の記号Ａで示す位置にあったとしても、送信アンテナ２０に囲まれた領域内に１つの受信アンテナ２１が位置している。
【０１９７】
よって、図１８（ｂ）に示すように、送信アンテナ２０と受信アンテナ群３２とを対向させ、送信アンテナ３０と受信アンテナ群２２とを対向させる場合、比較的位置合わせの精度を低くできる。すなわち、本実施の形態では、第１及び第２無線通信デバイス１２０，１２１の位置関係を正確に調節することなく、無線通信を行うことができる。本実施の形態は、正確な位置決めを行うことが困難な場合に好適である。
【０１９８】
＜動作＞
第１及び第２無線通信デバイス１２０，１２１の接続情報生成部２０９，２２３は、前記実施の形態１における通信接続更新処理１と類似の通信接続更新処理３を行う。なお、本実施の形態において、接続情報生成部２０９，２２３の無線通信用ＩＦ部は、送信アンテナが接続される送信用ＩＦ部と、受信アンテナが接続される受信用ＩＦ部とを備えており、信号の送信と受信とを同時に行うことができるものとする。
【０１９９】
図１９は、通信接続更新処理３の流れを示すフローチャートである。以下に、図１９を参照しつつ、第１及び第２無線通信デバイス１２０，１２１で行われる処理を対比しつつ並行して説明する。通信接続更新処理３は、第１及び第２無線通信デバイス１２０，１２１に電源が投入された後に自動的に実行される。
【０２００】
Ｓ３１，Ｓ４１において、第１及び第２無線通信デバイス１２０，１２１は、それぞれの送信アンテナ２０，３０から試験信号を送信するとともに、受信アンテナ２１，３１の受信検知を行う。このとき、２つの送信アンテナ２０が接続情報生成部２０９に接続され、同時に試験信号が送信される。また、第２無線通信デバイス１２１の２つの送信アンテナ３０についても同様である。
【０２０１】
なお、Ｓ３１の処理は、２つの受信アンテナ群２２の各々で、いずれかの受信アンテナ２１が試験信号を受信するまで実行される。これは、Ｓ４１についても同様である。
【０２０２】
Ｓ３２，Ｓ４２において、試験信号を受信した受信アンテナが通信品質に基づいて選択され、接続情報生成部２０９，２２３に接続される。
【０２０３】
Ｓ３３において、第１無線通信デバイス１２０から各送信アンテナ２０の識別情報と、各送信アンテナ２０の接続情報（送信アンテナ２０に接続されるモジュールの識別情報）とが送信される。このとき、前記実施の形態１において説明した切替送信処理により、２つの送信アンテナ２０で交互に複数回送信される。
【０２０４】
また、Ｓ３３において、選択された受信アンテナ２１によって受信が行われる。
【０２０５】
Ｓ４３において、切替送信処理により、各送信アンテナ３０の識別情報が送信される。また、選択された受信アンテナ３１によって受信が行われる。
【０２０６】
Ｓ３４，Ｓ４４の判定により、識別情報が受信されていない場合、処理がＳ３１,Ｓ４１に戻る。
【０２０７】
識別情報が受信された場合、接続情報、指示情報が生成される（Ｓ３５，Ｓ３６，Ｓ４５，Ｓ４６）。その後、指示情報が接続切替部２１０、２２４に送信され、接続が切替えられる。
【０２０８】
以上の処理により、無線通信に使用するアンテナとモジュールとが適切に接続される。
【０２０９】
なお、本変形例において、接続情報生成部２０９，２２３による前記位置ずれ検知処理を行うために、１つの送信アンテナ２０と受信アンテナ３１を介して確認信号を送受信するとともに、１つの送信アンテナ３０と受信アンテナ２１を介して確認信号を送受信することができる。
【０２１０】
［変形例１］
図２０に、上記実施の形態５の無線通信デバイスを携帯電話機に応用した例を示す。図２１は、第１筐体５０１と第２筐体５０２とを分離した状態を示す図である。
【０２１１】
携帯電話機５００は、スライド式の携帯電話機であり、第１筐体５０１と第２筐体５０２とを備えている。第１筐体５０１には操作キー５０３が配置され、第２筐体５０２には表示パネル５０４が設けられている。
【０２１２】
第１筐体５０１には断面視Ｌ字形状のガイド部材５１０が設けられている。そのガイド部材５１０は、第２筐体５０２に形成された溝５１２から第２筐体５０２内に入り込み、第１筐体５０１と第２筐体５０２とをスライド自在に連結している。このように、第１筐体５０１と第２筐体５０２とは、ガイド部材５１０と溝５１２とからなるガイド機構によって、相対移動可能に連結されている。
【０２１３】
第１筐体５０１には、第２筐体５０２と対向する部分に第１無線通信デバイス５２０が設けられている。第２筐体５０２には、第１筐体５０１と対向する部分に第２無線通信デバイス５３０が設けられている。この第２無線通信デバイス５３０は、第２筐体５０２のスライド方向に長くされている。よって、携帯電話機５００がスライドによって伸縮しても、第２無線通信デバイス５２０は第１無線通信デバイス５２０と対向した状態を保てるようにされている。
【０２１４】
第１及び第２無線通信デバイス５２０、５３０には、それぞれアンテナ配置領域５４０が存在する。そして、アンテナ配置領域５４０には、前記図１８で示されているように、スライドの前後において、第１無線通信デバイス５２０と第２無線通信デバイス５３０との間で、送信アンテナと受信アンテナ群とが対向するように配置されている。
【０２１５】
図２２に、携帯電話機５００における第１無線通信デバイス５２０と第２無線通信デバイス５２０と、それらの周辺部分との関係を示す。第１筐体５０１には、表示パネル５０４に表示させる画像信号を生成する画像信号生成部５５０が設けられている。その画像信号生成部５５０は、第１無線通信デバイス５２０の外部端子に接続されている。第２筐体５０２には、表示パネル５０４と、表示パネル５０４を制御して画像を表示させる表示制御部５５１が設けられている。その表示制御部５５１は、第２無線通信デバイス５２０の外部端子に接続されている。
【０２１６】
上記構成により、画像信号生成部５５０から出力された画像信号が、第１及び第２無線通信デバイス５２０、５３０を介して表示制御部５５１に入力される。その結果、表示パネル５０４に画像が表示される。
【０２１７】
このように、携帯電話機５００の少なくとも一部のケーブル（信号線）を２つの無線通信デバイスに置き換えることができる。
【０２１８】
なお、回路基板間を無線通信インタフェースにより通信する技術は、スライド式携帯電話のみならず、折りたたみ式の携帯電話、ロボットなど可動部のある機器の可動部分に対する無線通信コネクタなどの用途にも応用できる。
【０２１９】
［変形例２］
図２３に、上記実施の形態５の無線通信デバイスをディスプレイ装置６００に応用した例を示す。
【０２２０】
ディスプレイ装置６００は、表示部６０１と、スタンド６０２と、表示部６０１とスタンド６０２とを延直軸線周りに相対回転自在に連結する連結部６１０とを備えている。連結部６１０は、表示部６０１に取り付けられた第１部材６１１と、スタンド６０２に取り付けられた第２部材６１２とを含む。スタンド６０２には、画像信号を送信する信号線６０５などが接続されている。
【０２２１】
図２４は、連結部６１０の主要部の断面を示す図である。
【０２２２】
第１部材６１１の底板には、円筒状の回転軸６２１が設けられている。回転軸６２１の先端（図において下側の部分）はフランジ状に広がっている。一方、第２部材６１２の天板には、回転軸６２１が挿入される孔６２２が形成されている。連結部６１０は、回転軸６２１と孔６２２とで連結されることで相対回転自在にされている。
【０２２３】
第１部材６１１の底面には、回転軸６２１の中心線上に第１無線通信デバイス６３０が設置されている。一方、第２部材６１２には、回転軸６２１内に挿入される円柱状の支持部材６２３が設けられている。支持部材６２３の上面には第２無線通信デバイス６４０が設置されている。なお、図２４では、支持部材６２３が回転軸６２１と離間している状態を示しているが、連結部６１０が組み立てられた状態では、二点鎖線で示すように、支持部材６２３が回転軸６２１に挿入された状態で第２部材６１２に固定される。そして、第１無線通信デバイス６３０と第２無線通信デバイス６４０とが密着させられ、密着型の無線通信を行うことができる状態にされている。なお、第１部材６１１と第２部材６１２とが相対回転する場合、回転軸６２１と支持部材６２３とが相対回転させられる。このように、第１無線通信デバイス６３０と第２無線通信デバイス６４０とは、互いに相対回転自在に連結された２つの部材に取り付けられている。
【０２２４】
支持部材６２３の外周および孔６２２の内周には電極６２５，６２６が設けられている。一方、回転軸６２１の内周および外周には電極６２７，６２８が設けられている。これら電極６２５，６２６と電極６２７，６２８との間で、表示部６０１に供給する電力が伝えられる。
【０２２５】
図２５は、第１及び第２無線通信デバイス６３０、６４０のアンテナの配置パターンを模式的に示す図である。なお、図２５は、第２無線通信デバイス６４０側から第１無線通信デバイス６３０を眺めた図である。また、図２５において、第１無線通信デバイス６３０のアンテナ５０，５１を実線で、第２無線通信デバイス６４０のアンテナ６０，６１を鎖線で示す。
【０２２６】
第１無線通信デバイス６３０は、中央の送信アンテナ５０と、送信アンテナ５０を中心とする円周状に配置された複数の受信アンテナ５１とを含む。一方、第２無線通信デバイス６４０は、送信アンテナ５０を中心とする円周上に配置された複数の送信アンテナ６０と、送信アンテナ５０と対向する位置及び周辺位置に配置された複数の受信アンテナ６１とを含む。
【０２２７】
このような構成により、送信アンテナ５０を中心とする相対回転において、第１無線通信デバイス６３０に対する第２無線通信デバイス６４０の角度がいくらであっても、密着型の無線通信を行うことができる。
【０２２８】
なお、本変形例において、前記実施の形態５の通信接続更新処理３と同様の処理によって、アンテナとモジュールとの接続が切替えられる。また、第１及び第２無線通信デバイス６３０、６４０の角度が変わると、位置ずれ検知処理によって位置ずれが検知され、通信接続更新処理３が実行される。
【０２２９】
［実施の形態６］
前記実施の形態１〜４において、第１デバイスのアンテナの縦方向及び横方向の間隔は、第２デバイスのアンテナの間隔の整数倍にされていた。なお、第１デバイスは、第１電子回路デバイス又は第１無線通信デバイスを意味し、第２デバイスは、第１電子回路デバイス又は第１無線通信デバイスを意味する。
【０２３０】
それに対して、第１デバイスのアンテナの縦方向及び横方向の間隔を、第２デバイスのアンテナの間隔の整数倍よりもわずかに大きくしたり、僅かに小さくしたりすることもできる。
【０２３１】
なお、後述する第１デバイス１１７，１１８，１１９は、それぞれ前記実施の形態１の第１デバイス１００と同様の構成を備え、アンテナの数と配置に関する事項が異なっている。また、後述する第２デバイス１１２は、前記実施の形態１の第１デバイス１００と同様の構成を備えている。
【０２３２】
まず、比較のため、第１デバイスのアンテナの縦方向及び横方向の間隔を、第２デバイスのアンテナの間隔の整数倍にした場合について説明する。
【０２３３】
図２６では、第１デバイス１１７と第２デバイス１１２との接続状態を模式的に示した図である。図２６（ａ）は、第１デバイス１１７のアンテナ７１と第２デバイス１１２のアンテナ７２との位置関係が最適な状態を示し、図２６（ｂ）は、位置が少しずれた状態を示している。電子回路デバイス間の無線通信は、アンテナ間距離と通信感度と２つのアンテナの対向面積に密接に関係する。なお、２つのアンテナの対向面積は、コイルの中心線方向の正射影において２つのコイルがオーバーラップしている領域の面積ということもできる。
【０２３４】
ここで、第１デバイス１１７と第２デバイス１１２とのように、一方のアンテナの配置間隔が他方の整数倍の関係であると、アンテナの中心が一致する場合は、最大性能を発揮する。ところが、アンテナの中心がずれた場合、どの方向に移動させれば、より感度が向上するかの検出が難しくなる。
【０２３５】
図２７に、アンテナの縦方向及び横方向の間隔を、第２デバイス１１２のアンテナの間隔の整数倍よりもわずかに大きくした第１デバイス１１８と、第２デバイス１１２とのアンテナの位置関係を模式的に示す。
【０２３６】
図２７（ａ）において、中央のアンテナ７３を除く周囲の４つのアンテナ７３（７３０１，７３０２，７３０４，７３０５）の受信強度は互いに等しくなる。一方、第１デバイス１１８と第２デバイス１１２とのアンテナの位置関係が、図２７（ａ）から（ｂ）にずれると、第１デバイス１１８のアンテナ７３０１〜７３０５において受信信号の強度の違いが現れる。単純には、アンテナ７３０１の受信強度が最も低く、アンテナ７３０５の受信強度が最も高くなる。この場合、第１デバイス１１８を、アンテナ７３の受信強度が低い方から高い方へ向って移動させればよい。なお、第２デバイス１１２の移動方向は第１デバイス１１８の移動方向の逆になる。
【０２３７】
図２８に、アンテナの縦方向及び横方向の間隔を、第２デバイス１１２のアンテナの間隔の整数倍よりも僅かに小さくした第１デバイス１１９と、第２デバイス１１２とのアンテナの位置関係を模式的に示す。
【０２３８】
図２８（ａ）において、周囲の４つのアンテナ７５の受信強度は互いに等しくなる。一方、第１デバイス１１９と第２デバイス１１２とのアンテナの位置関係が、図２８（ａ）から（ｂ）にずれると、第１デバイス１１９のアンテナ７５０１〜７５０５において受信信号の強度の違いが現れる。単純には、アンテナ７５０１の受信強度が最も高く、アンテナ７５０５の受信強度が最も低くなる。この場合、第１デバイス１１９を、アンテナ７５の受信強度が低い方から高い方へ向って移動させればよい。
【０２３９】
ここで、図２７（ａ）、図２８（ａ）のいずれにおいても、第１デバイス１１８，１１９のアンテナと、第２デバイス１１２のアンテナ７２との対向面積が、アンテナ７２の外形線（アンテナ７２を四角形と見た場合の輪郭）によって囲まれる領域の面積の半分より大きくなるようにされている。つまり、第１デバイス１１８，１１９のアンテナと、第２デバイス１１２のアンテナ７２とが対向した状態を保てる範囲内にされている。なお、第１デバイス１１８，１１９のアンテナと、第２デバイス１１２のアンテナ７４とのサイズが異なる場合は小さい方のアンテナを基準とする。
【０２４０】
よって、第１デバイス１１８のアンテナ７３の縦方向及び横方向の間隔Ｄ１は、第２デバイス１１２のアンテナ７２の縦方向及び横方向の間隔Ｄ２のＮ倍（Ｎは自然数）の「Ｎ・Ｄ２」より大きく、Ｎ・Ｄ２にアンテナ７４の縦方向及び横方向の長さ寸法Ｌを加えた「Ｎ・Ｄ２＋Ｌ」よりも小さくされる。
【０２４１】
Ｎ・Ｄ２＜Ｄ１＜Ｎ・Ｄ２＋Ｌ  ・・・（１）
一方、第１デバイス１１９のアンテナ７５の縦方向及び横方向の間隔Ｄ３は、同様に次式で表わされる。
【０２４２】
Ｎ・Ｄ２−Ｌ＜Ｄ３＜Ｎ・Ｄ２  ・・・（２）
なお、間隔Ｄ１〜Ｄ３は、縦方向又は横方向における２つのアンテナの中心間距離を意味する。
【０２４３】
このように、第１デバイス１１８，１１９のアンテナの配置間隔と第２デバイス１１２のアンテナの配置間隔とを僅かに異なる長さにする。すなわち、第１デバイス１１８，１１９のアンテナの配置パターンが、第２デバイス１１２のアンテナの配置パターンと僅かに異なる構成としている。
【０２４４】
このような構成とすることで、アンテナの位置がずれたときに、アンテナの感度が不均一な値になり、第１デバイス１１８，１１９と第２デバイス１１２の位置関係について最適な修正方向をユーザに通知することが可能となる。
【０２４５】
なお、上記アンテナの対向面積が７０％より大きくなるようにすることもできる。この場合、上記式（１）、（２）において、それぞれ「Ｌ」を、「０．６・Ｌ」とすればよい。
【０２４６】
［実施の形態７］
図２９は、無線通信システムの構成を示す図である。
【０２４７】
本実施の形態において、無線通信システムは、第１無線通信デバイス８０１と、第２無線通信デバイス８０２とを備えている。第１無線通信デバイス８０１は、アンテナ１３５と、アンテナ１３５に接続された無線通信用ＩＦ２８１とを備えている。無線通信用ＩＦ２８１は、外部デバイス２３６と接続されている。第２無線通信デバイス８０２は、前述の第２無線通信デバイス１１３と同様の構成である。
【０２４８】
上記構成により、第１無線通信デバイス８０１のアンテナ１３５が、第２無線通信デバイス８０２の複数のアンテナ１３６のいずれか１つと対向する位置関係で密着型の無線通信を行うことができる。また、第２無線通信デバイス８０２は、無線通信に使用するアンテナ１３６を、接続情報生成部２２３によって選択し、接続切替部２２４によって無線通信用ＩＦ２８１に接続することができる。その結果、デバイス２３６とデバイス２３７との間で無線通信を行うことができる。
【０２４９】
なお、通信接続更新処理を行う場合、外部デバイス２３６の信号が第１無線通信デバイス８０１から送信される。
【０２５０】
［実施の形態８］
上記実施の形態１〜３において、２つのメモリ２２１，２２２の各々に、１つずつのアンテナ１２が接続されていた。これに対し、２つのメモリ２２１，２２２の各々に、２つずつのアンテナ１２を接続することもできる。
【０２５１】
本変形例の構成は、接続切替部２１０，２２３に接続される各ＩＦ以外は、上記実施の形態２と同じであるため、図１３と同じ構成には同じ符号を付す。なお、実施の形態２と同じ符号が付された構成で異なる部分を有している場合は、以下に説明する。
【０２５２】
図３０は、本変形例の電子回路システムの構成を示すブロック図である。
【０２５３】
第１デバイス９０１のメモリＩＦ２４７、及びデバッグＩＦ２４８、並びに、第２デバイス９０２のメモリＩＦ２３１，２３２は、前記実施の形態１のＩＦ２１７と同様に、それぞれ２つのシリアルインタフェース回路を備えている。そして、上記ＩＦ２４７，２４８，２３１，２３２の各々は、２つのシリアルインタフェース回路が別個の信号線を介して接続切替部２０９，２２３に接続されている。その結果、各ＩＦ２４７等には、２つずつのアンテナを接続することができる。
【０２５４】
また、デバッグ補助部２０６は、２つの入出力部を備えており、各入出力部がデバッグＩＦ２４８のシリアルインタフェース回路とパラレル接続されている。これにより、デバッグ補助部２０６は、２つのシリアルインタフェース回路を介して個別の信号（例えば、一方に制御信号、他方にデータ）を送受信することができる。なお、ＣＰＵ２０２，外部ＩＦ２４２，及びコア処理部２４１については、特に図示をしていないが、デバッグ補助部２０６と同様に、２つの入出力部を介してメモリＩＦ２４７と接続されている。
【０２５５】
ここで、通信接続更新処理１又は２の実行によって、以下の接続関係が設定されるものとする。なお、デバッグＩＦ２４８ａは、デバッグＩＦ２４８のうち、第１のシリアルインタフェース回路を有する部分を示し、デバッグＩＦ２４８ｂは、第２のシリアルインタフェース回路を有する部分を示す。なお、その他のメモリＩＦ２３１等についても同様である。
【０２５６】
（ａ）デバッグＩＦ２４８ａ−アンテナ１１００・・・アンテナ１２００−メモリＩＦ２３１ａ
（ｂ）デバッグＩＦ２４８ｂ−アンテナ１１０１・・・アンテナ１２０８−メモリＩＦ２３１ｂ
（ｃ）メモリＩＦ２４７ａ−アンテナ１１０２・・・アンテナ１２０２−メモリＩＦ２３２ａ
（ｄ）メモリＩＦ２４７ｂ−アンテナ１１０３・・・アンテナ１２０６−メモリＩＦ２３２ｂ
このように、第１デバイス９０１のデバッグＩＦ２４８と、第２デバイス９０２のメモリＩＦ２３１とが２組のアンテナのペア（アンテナ１１００−１２００、アンテナ１１０１−１２０８）を介して接続されている。メモリＩＦ２４７とメモリＩＦ２３２とについても同様である。
【０２５７】
そして、２組のアンテナのペアのうちの一方のペア（例えば、アンテナ１１００−１２００）が、第１デバイス９０１から第２デバイス９０２への制御信号（コマンド及びアドレス）の送信用に用いられる。また、２組のアンテナのペアのうちの他方のペア（例えば、アンテナ１１０１−１２０８）が、データの送受信用に用いられる。
【０２５８】
ここで、デバッグ補助部２０６によるメモリ２２１からのデータ読出し処理において行われる半二重通信について説明する。
【０２５９】
データ読出し処理を行う場合、デバッグ補助部２０６は、デバッグＩＦ２０７ａを介してリードコマンドと読出しアドレスとをシリアル送信する。また、デバッグＩＦ２０７ｂを受信待ち状態にし、メモリ２２１からデータが送られて来るのに備える。具体的には、デバッグＩＦ２０７ｂは、信号線とは別の制御線、及びスイッチ２１０ａと同様のスイッチを介して、アンテナ１１０１のドライバ１５１に接続されており、制御線を介してドライバ１５１を受信状態に切換える制御信号を送信する。
【０２６０】
一方、メモリＩＦ２３１ａは、リードコマンドと読出しアドレスとをパラレル変換した後、メモリ２２１に転送する。メモリ２２１は、メモリＩＦ２３１ａからリードコマンドとアドレスとを受け取ると、指定されたアドレスからデータを読み出してメモリＩＦ２３１ｂに送る。
【０２６１】
メモリＩＦ２３１ｂは、デバッグＩＦ２０７ｂと同様に、アンテナ１２０８を駆動するドライバ１６１に、制御線等を介して接続されている。そして、メモリＩＦ２３１ｂは、アンテナ１２０８を介してデータ送信する場合に、制御線を介してドライバ１６１に制御信号を送り、ドライバ１６１を送信状態に切換える。その後、メモリＩＦ２３１ｂは、メモリ２２１から受け取ったデータをバッファに一時蓄積しつつ、バッファのデータをアンテナ１２０８を駆動するドライバ１６１に送る。その結果、アンテナ１２０８からアンテナ１１０１にデータが無線送信される。
【０２６２】
なお、デバッグＩＦ２０７ｂは、メモリ２２１へのデータ書込み処理において、データを送信する場合にはドライバ１５１を送信状態にする。また、メモリＩＦ２３１ｂは、メモリ２２１へのデータ書込み処理において、データを受信する場合にはドライバ１６１を受信状態にする。
【０２６３】
このようにして、アンテナ１１０１及びアンテナ１２０８を介した半二重通信が行われる。
【０２６４】
本変形例では、１組のアンテナのペアをコマンド専用にしていたが、２組のアンテナのペアでデータを送受信してもよい。
【０２６５】
本変形例では、通信接続更新処理の後、接続情報生成部２０９，２２３にアンテナが接続されていないが、第１デバイス９０１のアンテナ数を増やしてアンテナのペア数を増やし、接続情報生成部２０９，２２３にアンテナを接続してもよい。
【０２６６】
［補足］
（ａ）前記実施形態および変形例の説明は本発明の例示にすぎず、本発明の範囲を逸脱することなく種々の改良や変形を行うことができる。
【０２６７】
（ｂ）前記各実施の形態では、第１電子回路デバイスおよび第２電子回路デバイスのそれぞれが複数のアンテナを有する一例を挙げて説明したが、第１電子回路デバイスおよび第２電子回路デバイスの一方が１つのアンテナを有し、他方が複数のアンテナを有した構成であってもよい。このような構成であっても、１つのアンテナを複数のアンテナのいずれかと最適配置関係とすることができるため、配置関係やデバイスのサイズなどに影響されず容易にデバイス間でデータ通信ができる。
【０２６８】
（ｃ）前記実施の形態１〜６では、第１電子回路デバイスがデバッガ装置によりデバッグされる電子回路デバイスであり、第２電子回路デバイスがデバッガ装置であるような電子回路システムの一例を挙げて説明した。しかし、電子回路システムは、デバッグを行うデバッグシステムに限定されず、電子回路デバイスどうしで密着型の無線通信を行うシステムであれば本発明を適用することができる。
【０２６９】
（ｄ）前記実施の形態１において、アンテナを第１電子回路デバイス１００および第２電子回路デバイス１０１内に搭載した一例を挙げて説明した。しかしながら、第１電子回路デバイス１００および第２電子回路デバイス１０１のアンテナをパッケージ基板や、電子回路基板などの外部基板上に構成してもよい。
【０２７０】
（ｅ）前記各実施の形態において、アンテナを介して通信する手法として、近傍磁界による磁界結合を利用した無線通信が行われていたが、電磁波を利用した無線通信に加えて、近傍電界による電界結合を利用した無線通信でもよい。
【０２７１】
（ｆ）前記実施の形態１の通信接続更新処理において、Ｓ１１、Ｓ２３で送信される試験信号を、全てのアンテナから送信してもよい。
【０２７２】
（ｇ）前記実施の形態１の通信接続更新処理において、Ｓ１１、Ｓ２３で送信される試験信号を、各アンテナの識別情報にしてもよい。この場合、Ｓ１２，Ｓ２１において、各アンテナの識別情報を受信することができる。
【０２７３】
（ｈ）接続情報生成部２０９は、バス２０１を介さずに（あるいは、バス２０１接続に加えて）、ＣＰＵ２０２、デバッグ補助部２０６等と信号線によって直接的に接続されていてもよい。その場合、ＣＰＵ２０２、デバッグ補助部２０６等から、信号線を介して通信接続更新処理の開始指令などを受け取ることができる。また、接続情報生成部２０９は、信号線を介して通信接続更新処理が終了したことを、ＣＰＵ２０２、デバッグ補助部２０６等に通知することができる（この通知はバス２０１を介して行うこともできる）。接続情報生成部２１３や、その他の接続情報生成部についても同様に、バスを介してモジュールと接続されていてもよいし、信号線によって直接的に接続されていてもよい。
【０２７４】
（ｊ）前記各実施の形態及び変形例では、通信接続更新処理の後において、電子回路に含まれるモジュールだけでなく接続情報生成部にもアンテナが接続されていたが必須の事項ではない。ペアに選択したアンテナ全てをモジュールに接続してもよい。その場合、位置ずれの検知は、電子回路に含まれるモジュール（例えば、ＣＰＵ、デバッグ処理部、デバッグ補助部）や、外部デバイスによって行うことができる。
【０２７５】
（ｋ）前記各実施の形態及び変形例では、アンテナと接続切替部との間にドライバが設けられていたが、必須の事項ではない。例えば、ＩＦ（無線通信用ＩＦ２０５、ＩＦ２３１等）がドライバの機能を有していてもよいし、ドライバを省略してもよい。
【０２７６】
また、例えば、ＩＦ（無線通信用ＩＦ２０５、ＩＦ２３１等）が、通信対象のデバイスのＩＦと通信開始のネゴシエーションを行う機能や、信号に同期信号を追加して送信するとともに同期信号を含む受信信号との同期を行う機能などを有していてもよい。
【０２７７】
（ｍ）前記実施の形態１〜７及びそれらの変形例において、電子回路モジュール（無線通信用ＩＦ２０５等）と接続切替部とがシリアル接続されていたが、パラレル接続にすることもできる。なお、パラレル接続の場合は、一のモジュールに複数のアンテナによって信号が伝送されることとなる。
【０２７８】
さらに、各モジュールと接続切替部とを複数の信号線によって接続しておき、通信可能なアンテナ数が多い場合にパラレル接続を行い、通信可能なアンテナ数が少ない場合にシリアル接続を行うこともできる。この場合、ＩＦ２０５，２１７等にシリアルインタフェース機能と、パラレルインタフェース機能とを持たせることができる。
【０２７９】
さらにまた、ＩＦ２０５，２１７等に複数のシリアルインタフェース回路を設け、各シリアルインタフェース回路にアンテナを接続してもよい。この場合、複数のアンテナによって、より多くのデータを送受信することができる。
【０２８０】
（ｎ）前記実施の形態１〜７及びそれらの変形例において、第１デバイスのモジュール（無線通信用ＩＦ２０５等）と第２デバイスのモジュール（メモリ２２１）とが、半二重通信を行っていたが、全二重通信を行うこともできる。この場合、例えば、モジュール（無線通信用ＩＦ２０５、ＩＦ２３１等）に送信用シリアルインタフェースと受信用シリアルインタフェースとを設け、２組のアンテナのペアを送信用と受信用に使い分けることで全二重通信を行うことができる。
【０２８１】
（ｐ）また、前記実施の形態１〜７及びそれらの変形例において、第１デバイスと第２デバイスとの間で通信する信号の本数が多い場合は、メモリＩＦ２４７、デバッグＩＦ２４８内部で、伝送対象の信号をパラレルからシリアルに変換することなどにより、アンテナの使用数を抑制することができる。さらに、アンテナ１１とアンテナ１２とのペアの通信での伝送レートを高くするとともに、多重化などを利用することができる。
【０２８２】
逆に、伝送対象の信号の本数（接続対象のモジュールの数）に比べて、一方のアンテナの個数が多い場合には、いわゆるダイバーシティ技術を利用して、例えば複数のアンテナのペアを利用して同一の信号を伝送し通信品質のよい信号を選択したり、伝送レートを落として1つの信号を複数のアンテナのペアを利用して伝送したりする構成としてもよい。
【０２８３】
（ｑ）前記実施の形態１〜６及びそれらの変形例において、第１電子回路デバイス（第１無線通信デバイス）がマスタ側、第２電子回路デバイス（第２無線通信デバイス）がスレーブ側であったが、逆にしてもよい。
【０２８４】
（ｒ）前記各実施の形態及び変形例では、通信接続更新処理は、外部デバイス３０１、ホストＰＣ２２８等による開始指令を受けた場合、位置ずれ検知処理によって位置ずれが検知された場合に実行されていたが、それ以外のタイミングで実行することもできる。例えば、接続情報生成部に電源が供給された場合、接続情報生成部は最初に通信接続更新処理を実行することとしてもよい。また、接続情報生成部に外部から信号を入力する信号線を接続し、信号線を介して指令が入力された場合に通信接続更新処理を実行することとしてもよい。
【０２８５】
（ｓ）前記各実施の形態及び変形例では、通信接続更新処理において試験通信処理の結果によって接続情報が生成されていた。それに対し、接続情報生成部を、各アンテナを介した通信結果などの通信に関する情報を取得するものとしてもよい。この場合、接続情報生成部は、取得した通信に関する情報から、未通信なども含め、アンテナが通信できる通信間の接続を示す接続情報を生成することができる。
【０２８６】
この場合、アンテナの出力（あるいは、ドライバの出力）を２つに分岐し、一方の出力を接続情報生成部に接続し、他方の出力をＩＦ２３１等に接続することができる。接続情報生成部は、アンテナの個数分のシリアルインタフェース回路を備え、各インタフェース回路に接続されたアンテナを介して送受信される信号を個別に取得するものとすることができる。
【０２８７】
（ｔ）前記各実施の形態及び変形例では、試験通信処理において、試験信号が送信されていた。この試験信号は、対向する２つのアンテナ間で信号の送受信が可能であることを確認できるものであればよく、特定の信号列（例えば、１１０の繰り返し）に限られない。また、試験信号に、各アンテナの識別情報を示す信号を用いてもよいし、通信データを用いてもよい。なお、１と０との一方が多く含まれている特定の信号列を用いた場合、例えば１１０の繰り返しであれば、受信信号が反転しているか否かを確認し得る。
【０２８８】
（ｕ）前記各実施の形態及び変形例では、通信接続更新処理において、第１デバイスから各アンテナ１１の識別情報が送信されていたが、各アンテナ１１の識別情報に代えて、例えば、各アンテナ１１に接続されるモジュールの識別情報を送信してもよい。第２デバイスは、自装置の各アンテナ１２が、第１デバイスのアンテナ１１を介していずれのモジュールと接続されるかが分かれば接続情報を生成することができる。
【０２８９】
この場合、第２デバイスの接続情報生成部２１３は、第１デバイスのモジュールの識別情報と、自装置のモジュールの識別情報とを対応付けるモジュール対応情報を記憶部に記憶しているものとすることができる。そして、第２デバイスは、モジュール対応情報に従い、第１デバイスのモジュールに自装置のモジュールが適切に対応するように、自装置のアンテナ及びモジュールの接続関係を設定する（接続情報を生成する）ものとすることができる。
【０２９０】
（ｖ）以下に、実施形態に係る各種の携帯情報端末における構成及び効果について説明する。
【０２９１】
（１）実施形態に係る電子回路システムは、アンテナとそのアンテナに接続される電子回路とを備えている第１電子回路デバイスと、複数のアンテナとそれら複数のアンテナの一部のものに接続される電子回路とを備えている第２電子回路デバイスとを含み、それら２つの電子回路デバイスは、互いを通信対象とし、互いのアンテナが配置された部分を対向させた状態で密着型の無線通信を行う電子回路システムであって、前記第２電子回路デバイスは、さらに、無線通信において前記第１電子回路デバイスのアンテナとペアにして使用するアンテナを選択し、前記複数のアンテナのうち、当該選択されたアンテナと前記電子回路とを接続することを示す接続情報を生成する接続情報生成部と、前記接続情報に従い、前記複数のアンテナと前記電子回路との接続を切替える接続切替部とを備えていることを特徴とする。
【０２９２】
本項の電子回路システムにおいて、第２電子回路デバイス（以後、第２デバイスという）は、複数のアンテナ、接続情報生成部、および接続切替部を備えており、複数のアンテナのうち、無線通信に使用するアンテナを電子回路に接続することができる。また、第２デバイスは複数のアンテナのいずれか１つを、第１電子回路デバイス（以後、第１デバイスという）のアンテナと対向させて無線通信を行うことができる。よって、第１デバイスと第２デバイスとの位置関係を、無線通信可能な複数の位置関係から選択することができ、第１デバイスと第２デバイスとの位置関係の制約を受けにくくなる。以後、第１デバイスと第２デバイスとを、２つのデバイスということがある。
【０２９３】
なお、接続情報において、選択されたアンテナを接続する対象は、第２デバイス自身が備えている電子回路である。また、接続切替部による接続切替えの対象は、複数のアンテナと、第２デバイス自身が備えている電子回路との接続である。
【０２９４】
（２）実施形態に係る電子回路システムは、複数のアンテナとそれら複数のアンテナの少なくとも一部のものに接続される電子回路とを備えている第１及び第２電子回路デバイスを含み、それら２つの電子回路デバイスは、互いを通信対象とし、互いの複数のアンテナが配置された部分を対向させた状態で無線通信を行う電子回路システムであって、前記第１及び第２電子回路デバイスの各々は、さらに、無線通信において前記通信対象の電子回路デバイスのアンテナとペアにして使用するアンテナを選択し、前記複数のアンテナのうち、当該選択されたアンテナと前記電子回路とを接続することを示す接続情報を生成する接続情報生成部と、前記接続情報に従い、前記複数のアンテナと前記電子回路との接続を切替える接続切替部とを備え、前記第１及び第２電子回路デバイスの各々の前記接続情報生成部は、前記接続切替部を介して前記複数のアンテナに接続され、前記通信対象の電子回路デバイスの接続情報生成部との間で、前記複数のアンテナを介して試験的に信号を送受信する処理である試験通信処理を行うとともに、その試験通信処理によって得られた結果に基づいて前記接続情報を生成する、こととしてもよい。
【０２９５】
本項の電子回路システムでは、第１デバイスおよび第２デバイスの両方が、複数のアンテナ、接続情報生成部、及び接続切替部を備えている。この場合、２つのデバイスは、無線通信に使用できるアンテナを知る必要がある。そこで、第２デバイスは、接続情報生成部によって試験通信を行うことで、無線通信に使用できるアンテナを知ることができる。よって、第１デバイスと第２デバイスとの位置関係を、無線通信可能な複数の位置関係から選択した場合に、アンテナと電子回路との接続が容易になる。
【０２９６】
（３）実施形態に係る電子回路システムは、前記第１電子回路デバイス及び前記第２電子回路デバイスの各々において、接続切替部は、前記電子回路に接続されている複数の信号線と前記複数のアンテナとの接続を切替えるものであり、接続情報生成部は、前記通信対象の電子回路デバイスの２以上のアンテナとともに２以上のペアを形成する２以上のアンテナを選択し、前記複数のアンテナのうち、当該選択された２以上のアンテナを前記複数の信号線に接続することを示す接続情報を生成し、前記第１電子回路デバイスにおいて、前記接続情報生成部は、前記試験通信処理において前記複数のアンテナの各々を介してアンテナ毎に異なる識別情報を送信するものであり、前記第２電子回路デバイスにおいて、前記接続情報生成部は、前記第１電子回路デバイスから送信された前記識別情報を受信した場合、その識別情報に基づき、前記複数の信号線のうち、前記選択された２以上のアンテナの各々を接続する信号線を決定する、こととしてもよい。
【０２９７】
本項の電子回路システムでは、電子回路に複数の信号線が接続されている。そして、少なくとも第２デバイスは、接続切替部によって、無線通信に使用するアンテナを適切な信号線に接続する必要がある。そこで、第２デバイスは、例えば、第１デバイスが送信する各アンテナの識別情報を受信することで、受信に用いた第２デバイスのアンテナとペアになる第１デバイスのアンテナを識別することが可能になる。
【０２９８】
ここで、第１デバイスのアンテナを識別した後は、以下のような方法によってアンテナと信号線とを適切に接続することができる。
【０２９９】
例えば、第１デバイスにおける複数のアンテナと信号線との接続関係が定まっている場合、第１デバイスのアンテナを識別することで、第２デバイスのアンテナと信号線とを適切に接続することができる。このような場合は、第２デバイスは、第１デバイスのアンテナの識別情報と、自機の信号線との対応を、記憶部に記憶しているものとすることができる。
【０３００】
また、例えば、第２デバイスの接続情報生成部が第１デバイスの複数の信号線の情報を記憶している場合は、第１デバイスにおけるアンテナと信号線との接続情報を生成し、第１デバイスに送信することができる。そして、第１デバイスに送信した接続情報に合わせて第２デバイスにおける複数のアンテナと信号線との接続関係を設定することができる。
【０３０１】
なお、第１デバイスが送信する識別情報は、第１デバイスのアンテナが接続される信号線（あるいは電子回路モジュール）の識別情報としてもよい。第２デバイスは、自装置の各アンテナが、第１デバイスのアンテナを介していずれのモジュールと接続されるかが分かれば接続情報を生成することが可能である。
【０３０２】
（４）実施形態に係る電子回路システムは、前記第２電子回路デバイスにおいて、前記複数のアンテナの個数は、前記２以上のペアに選択されるアンテナの数よりも多い、こととしてもよい。
【０３０３】
本項の電子回路システムでは、第２デバイスのアンテナの数が、無線通信に使用するアンテナ数よりも多くされている。よって、無線通信可能な２つのデバイスの位置関係の選択肢を増やすことと、第１デバイスが使用するアンテナの数や配置の違いに適応することとの少なくとも一方が可能である。
【０３０４】
（５）実施形態に係る電子回路システムは、前記第１電子回路デバイス及び前記第２電子回路デバイスの各々は、前記アンテナとして機能するコイルが形成された基板を備え、前記第１電子回路デバイスの基板と、前記第２電子回路デバイスの基板とは、前記コイルが形成された面が対向した状態で近接配置されている、こととしてもよい。
【０３０５】
本項の電子回路システムでは、コイルによって誘導結合（あるいは磁界結合）を利用する無線通信を行う場合、誘導結合を利用する無線通信は、通信距離が非常に短いため、２つのデバイスのアンテナを互いに近接させることが必要である（例えば、５ｍｍ以下）。そこで、本項の電子回路システムでは、複数のコイルを基板上に形成することで、２つのデバイス間においてアンテナとなるコイルどうしを近接させやすくなり、取り扱いが容易になる。
【０３０６】
（６）実施形態に係る電子回路システムは、前記ペアとなる２つのアンテナは、一方のアンテナとして機能する第２のコイルの中心線方向の正射影において、前記第２のコイルに囲まれた領域のうちの半分を超える部分が他方のアンテナとして機能する第１のコイルに囲まれた領域に含まれている、こととしてもよい。
【０３０７】
誘導結合を利用する無線通信では、アンテナとして機能するコイルを対向させることが重要である。この場合、第１のコイルの中心線に沿って２つのコイルを眺めた場合に、第１のコイルの５０％を超える部分が第２のコイルに重なっていれば（オーバーラップしていれば）、無線通信を行うことができる。なお、２つのコイルの大きさが異なる場合、小さい方のコイルが第１のコイルとなる。さらに、第１のコイルの７０％を超える部分を第２のコイルに重なる状態としてもよい。
【０３０８】
（７）実施形態に係る電子回路システムは、前記第１電子回路デバイス及び前記第２電子回路デバイスは、それぞれの前記接続情報生成部によって、無線通信のペアになるアンテナを介して間欠的に信号を送受信し、前記信号の強度が閾値以下となる場合に、前記試験通信処理を行い前記接続情報を生成する、こととしてもよい。
【０３０９】
ペアとなるアンテナ間で信号の送受信が出来なくなった場合、２つのデバイスの位置ずれが生じたと判断することができる。よって、試験通信を行えば、位置ずれ後の状態で無線通信可能なアンテナを選択し直すことが可能になる。信号強度の閾値は、例えば、前項で述べたのと逆に、第１のコイルの半分以上が第２のコイルに重なっていない状態の信号強度の値とすることができる。なお、送信アンテナと受信アンテナとを用いる場合は、例えば、２つのペアで信号の送受信を行うことができる。
【０３１０】
（８）実施形態に係る電子回路システムは、前記接続情報生成部は、前記試験通信処理時における各アンテナの通信品質に基づき、前記ペアとして使用するアンテナを選択する、こととしてもよい。
【０３１１】
本項の電子回路システムでは、１つのアンテナから送信された信号を２つのアンテナで受信できる場合、例えば、受信信号の強度の高いアンテナ、ノイズの少ない方のアンテナなどの選択基準に基づいて通信品質の高いアンテナを選択できる。
【０３１２】
（９）実施形態に係る電子回路システムは、前記第２電子回路デバイスのアンテナの配置パターンは、前記第１電子回路デバイスのアンテナの配置パターンの鏡像となるパターンが複数配置されたパターンである、こととしてもよい。
【０３１３】
本項の電子回路システムでは、無線通信が可能な２つのデバイス間の位置関係が複数存在する。なお、鏡像となるパターンには、２つのデバイスを相対回転させた後に鏡像となるパターンも含まれる。
【０３１４】
（１０）実施形態に係る電子回路システムは、前記第２電子回路デバイスのアンテナの配置パターンは、前記第１電子回路デバイスのアンテナの第１パターンの鏡像に類似する第２パターンを含み、前記第２パターンを前記第１パターンに対向させた場合、少なくとも一の方向において、前記第１パターンにおける２つの第１アンテナの配置間隔が、前記第１パターンにおける前記２つの第１アンテナと対向する２つの第２アンテナの配置間隔よりも、大きく、又は、小さくされている、こととしてもよい。
【０３１５】
本項の電子回路システムでは、一の方向において、２つのアンテナの配置間隔が２つのデバイス間で僅かに異なっている。これにより、２つのデバイスの位置関係が最適な状態から僅かにずれている場合、上記２つのアンテナを介した信号の受信強度が異なる。よって、受信強度の違いに基づいて、２つのデバイスの位置関係を修正する方向を知ることができる。なお、２つのデバイス間における２つのアンテナの配置間隔の違いは、ペアとなるアンテナが対向して無線通信できる範囲内となる。
【０３１６】
（１１）実施形態に係る電子回路システムは、前記第１電子回路デバイスと前記第２電子回路デバイスとの少なくとも一方において、前記電子回路は、前記複数の信号線に接続されている複数の電子回路モジュールを含み、前記接続切替部は、前記複数の電子回路モジュールの各々に接続されている個々の信号線と、各アンテナとの接続を切替えるものである、こととしてもよい。
【０３１７】
本項の電子回路システムでは、電子回路に複数の電子回路モジュールが含まれている。そして、接続情報生成部によって適切な接続情報を生成することで、電子回路モジュールとアンテナとが適切に接続される。
【０３１８】
（１２）実施形態に係る電子回路デバイスは、複数のアンテナとそれら複数のアンテナの一部のものに接続される電子回路とを備え、アンテナとそのアンテナに接続される電子回路とを備えている通信対象の電子回路デバイスとの間で、互いのアンテナが配置された部分を対向させた状態で密着型の無線通信を行う電子回路デバイスであって、無線通信において前記通信対象の電子回路デバイスのアンテナとペアにして使用するアンテナを選択し、前記複数のアンテナのうち、当該選択されたアンテナと前記電子回路とを接続することを示す接続情報を生成する接続情報生成部と、前記接続情報に従い、前記複数のアンテナと前記電子回路との接続を切替える接続切替部とを備えていることを特徴とする、こととしてもよい。
【０３１９】
本項の電子回路デバイスは、（１）項の電子回路システムと同様の効果を奏する。
【０３２０】
（１３）実施形態に係る無線通信デバイスは、一部のものが電子回路に接続される複数のアンテナを備え、電子回路に接続されるアンテナを備えている通信対象の無線通信デバイスとの間で、互いのアンテナが配置された部分を対向させた状態で密着型の無線通信を行う無線通信デバイスであって、無線通信において前記通信対象の無線通信デバイスのアンテナとペアにして使用するアンテナを選択し、前記複数のアンテナのうち、当該選択されたアンテナと前記電子回路とを接続することを示す接続情報を生成する接続情報生成部と、前記接続情報に従い、前記複数のアンテナと前記電子回路との接続を切替える接続切替部とを備えていることを特徴とする、こととしてもよい。
【０３２１】
本項の無線通信デバイスは、（１）項の電子回路システムと同様の効果を奏する。
【産業上の利用可能性】
【０３２２】
本発明にかかる電子回路システム、電子回路デバイス、および無線通信デバイスは、第１電子回路デバイス、第２電子回路デバイスの組み合わせを汎用的に実現可能な無線通信インタフェース搭載装置などとして有用である。また、スライド式の携帯電話機、ロボットなど可動部のある機器の可動部分に対する無線通信コネクタなどの用途にも応用できる。
【符号の説明】
【０３２３】
１１〜１８  アンテナ
２０，３０  送信アンテナ
２１，３１  受信アンテナ
２２，３２  受信アンテナ群
７１〜７５    アンテナ
９１    ホストコンピュータ
９３    デバッガ
９７    無線通信インタフェースＩＣ
９８，９９    コイル
１００，１１０，１１７，１１８，１１９  第１電子回路デバイス
１０１，１１１，１１２    第２電子回路デバイス
１１４    第１無線通信デバイス
１１５    第２無線通信デバイス
２０５    無線通信用ＩＦ
２０６    デバッグ補助部
２０９，２１３  接続情報生成部
２１０，２１３  接続切替部
２１７    ＩＦ
２２１，２２２  メモリ
２２８    ホストＰＣ
２３１，２３２    ＩＦ
２３３    バス
２３６    外部デバイス
２３７    外部デバイス
２４１    コア処理部
２４５    メモリＩＦ
２４７    メモリＩＦ
２４８    デバッグＩＦ
２５１，２５２  メモリＩＦ
２８１    無線通信用ＩＦ
３０９，３１３  接続情報生成部
３１０    回路基板
３２０    コイル
５００    携帯電話機
８０１    無線通信デバイス
８０２    無線通信デバイス
【図１】
0005525035.tif 000002
【図２】
0005525035.tif 000003
【図３】
0005525035.tif 000004
【図４】
0005525035.tif 000005
【図５】
0005525035.tif 000006
【図６】
0005525035.tif 000007
【図７】
0005525035.tif 000008
【図８】
0005525035.tif 000009
【図９】
0005525035.tif 000010
【図１０】
0005525035.tif 000011
【図１１】
0005525035.tif 000012
【図１２】
0005525035.tif 000013
【図１３】
0005525035.tif 000014
【図１４】
0005525035.tif 000015
【図１５】
0005525035.tif 000016
【図１６】
0005525035.tif 000017
【図１７】
0005525035.tif 000018
【図１８】
0005525035.tif 000019
【図１９】
0005525035.tif 000020
【図２０】
0005525035.tif 000021
【図２１】
0005525035.tif 000022
【図２２】
0005525035.tif 000023
【図２３】
0005525035.tif 000024
【図２４】
0005525035.tif 000025
【図２５】
0005525035.tif 000026
【図２６】
0005525035.tif 000027
【図２７】
0005525035.tif 000028
【図２８】
0005525035.tif 000029
【図２９】
0005525035.tif 000030
【図３０】
0005525035.tif 000031
【図３１】
0005525035.tif 000032